(57)【特許請求の範囲】
【請求項１】
ワイヤレス通信局に適用される異種コンポーネントキャリアのアグリゲーションを行う通信方法であって、
プロトコルスタックのレイヤ２または前記レイヤ２より下において、異種アクセス技術にそれぞれ対応する物理チャネルリソースを集約するステップと、
前記異種アクセス技術にそれぞれ対応する前記物理チャネルリソースを介して、少なくとも１つのワイヤレスターミナル通信装置と通信するステップとを含み、
前記異種アクセス技術にそれぞれ対応する前記物理チャネルリソースが、前記異種コンポーネントキャリアである異種コンポーネントキャリアのアグリゲーションを行う通信方法。
【請求項２】
前記異種コンポーネントキャリアが、無線コンポーネントキャリア、光コンポーネントキャリアおよび音響コンポーネントキャリアのうちの少なくとも２つを含む請求項１に記載の異種コンポーネントキャリアのアグリゲーションを行う通信方法。
【請求項３】
前記レイヤ２が、媒体アクセス制御（ＭＡＣ）、無線回線制御（ＲＬＣ）およびパケットデータコンバージェンスプロトコル（ＰＤＣＰ）サブレイヤのうちの少なくとも１つを含む請求項１に記載の異種コンポーネントキャリアのアグリゲーションを行う通信方法。
【請求項４】
前記プロトコルスタックの前記レイヤ２または前記レイヤ２より下において、前記異種アクセス技術にそれぞれ対応する前記物理チャネルリソースを集約する前記ステップが、
前記少なくとも１つのワイヤレスターミナル通信装置に構成された異種コンポーネントキャリアのそれぞれに対して、少なくとも１つのＨＡＲＱエンティティをアシストすること
を含む請求項１に記載の異種コンポーネントキャリアのアグリゲーションを行う通信方法。
【請求項５】
前記少なくとも１つのワイヤレスターミナル通信装置に少なくとも１つのコンポーネントキャリアを構成するステップ
をさらに含む請求項１に記載の異種コンポーネントキャリアのアグリゲーションを行う通信方法。
【請求項６】
前記少なくとも１つのコンポーネントキャリアに対応する基準信号を伝送するステップと、
前記少なくとも１つのワイヤレスターミナル通信装置から、前記少なくとも１つのンポーネントキャリアのチャネル品質に関する測定情報を受信するステップと、
前記少なくとも１つのワイヤレスターミナル通信装置に対して前記少なくとも１つのコンポーネントキャリアを起動させるかどうかを判断するステップと
をさらに含む請求項５に記載の異種コンポーネントキャリアのアグリゲーションを行う通信方法。
【請求項７】
前記少なくとも１つのワイヤレスターミナル通信装置に対して少なくとも１つのコンポーネントキャリアを構成する前記ステップが、
前記ワイヤレスターミナル通信装置の少なくとも能力に基づいて、少なくとも２つの異種コンポーネントキャリアを集約する前記少なくとも１つのワイヤレスターミナル通信装置を構成するステップ
をさらに含む請求項５に記載の異種コンポーネントキャリアのアグリゲーションを行う通信方法。
【請求項８】
第１コンポーネントキャリアにおいて前記少なくとも１つのワイヤレスターミナル通信装置と通信するステップと、
リモートヘッド装置を介して、第２コンポーネントキャリアにおいて前記少なくとも１つのワイヤレスターミナル通信装置と通信するステップと
を含み、前記リモートヘッド装置が、前記ワイヤレスターミナル通信装置と同じ位置に設置された請求項１に記載の異種コンポーネントキャリアのアグリゲーションを行う通信方法。
【請求項９】
第１コンポーネントキャリアにおいて前記少なくとも１つのワイヤレスターミナル通信装置と通信するステップと、
リモートヘッド装置を介して、第２コンポーネントキャリアにおいて前記少なくとも１つのワイヤレスターミナル通信装置と通信するステップと
を含み、前記リモートヘッド装置が、前記ワイヤレスターミナル通信装置と異なる位置に設置された請求項１に記載の異種コンポーネントキャリアのアグリゲーションを行う通信方法。
【請求項１０】
前記リモートヘッド装置を介して、前記第２コンポーネントキャリアにおいて前記少なくとも１つのワイヤレスターミナル通信装置と通信する前に、前記異種コンポーネントキャリアのアグリゲーションを行う前記通信方法が、さらに、
前記リモートヘッド装置を発見するステップと、
前記リモートヘッド装置を初期化するステップと、
前記リモートヘッド装置の前記構成されたコンポーネントキャリアを起動するステップと
を含む請求項９に記載の異種コンポーネントキャリアのアグリゲーションを行う通信方法。
【請求項１１】
前記集約された異種コンポーネントキャリアの１つをプライマリコンポーネントキャリアとして構成するステップと、
前記集約された異種コンポーネントキャリアの前記残りのコンポーネントキャリアをセカンダリコンポーネントキャリアとして構成するステップと
をさらに含む請求項１に記載の異種コンポーネントキャリアのアグリゲーションを行う通信方法。
【請求項１２】
前記プライマリコンポーネントキャリアまたは前記少なくとも１つのセカンダリコンポーネントキャリアを使用して、前記少なくとも１つのセカンダリコンポーネントキャリアの前記少なくとも１つのワイヤレスターミナル通信装置により伝送されたアップリンクデータに対してＨＡＲＱ ＡＣＫ／ＮＡＣＫ情報を伝送するステップ
をさらに含む請求項１１に記載の異種コンポーネントキャリアのアグリゲーションを行う通信方法。
【請求項１３】
前記プライマリコンポーネントキャリアまたは前記セカンダリコンポーネントキャリアの１つで、前記少なくとも１つのセカンダリコンポーネントキャリアに伝送されたダウンリンクに対してＨＡＲＱ ＡＣＫ／ＮＡＣＫ情報を受信するステップ
をさらに含む請求項１１に記載の異種コンポーネントキャリアのアグリゲーションを行う通信方法。
【請求項１４】
少なくとも１つの物理チャネルリソースを介して、少なくとも１つのワイヤレス通信装置と通信するよう構成される少なくとも１つの物理通信ユニットと、
前記少なくとも１つの物理通信ユニットに接続され、プロトコルスタックのレイヤ２または前記レイヤ２より下において、異種アクセス技術にそれぞれ対応する前記物理チャネルリソースを集約するよう構成された通信プロトコルユニットと
を含み、前記異種アクセス技術にそれぞれ対応する前記物理チャネルリソースが、異種コンポーネントキャリアであるワイヤレス通信局。
【請求項１５】
前記異種コンポーネントキャリアが、無線コンポーネントキャリア、光コンポーネントキャリアおよび音響コンポーネントキャリアのうちの少なくとも２つを含む請求項１４に記載のワイヤレス通信局。
【請求項１６】
前記レイヤ２が、媒体アクセス制御（ＭＡＣ）、無線回線制御（ＲＬＣ）およびパケットデータコンバージェンスプロトコル（ＰＤＣＰ）サブレイヤのうちの少なくとも１つを含む請求項１４に記載のワイヤレス通信局。
【請求項１７】
前記通信プロトコルユニットが、前記少なくとも１つのワイヤレスターミナル通信装置に構成された異種コンポーネントキャリアのそれぞれに対して、少なくとも１つのＨＡＲＱエンティティをアシストする請求項１４に記載のワイヤレス通信局。
【請求項１８】
前記通信プロトコルユニットが、前記少なくとも１つのワイヤレスターミナル通信装置に少なくとも１つのコンポーネントキャリアを構成する請求項１４に記載のワイヤレス通信局。
【請求項１９】
前記通信プロトコルユニットが、前記少なくとも１つのコンポーネントキャリアに対応する基準信号を伝送し、
前記通信プロトコルユニットが、前記少なくとも１つのワイヤレスターミナル通信装置から、前記少なくとも１つのコンポーネントキャリアのチャネル品質に関する測定情報を受信し、
前記通信プロトコルユニットが、前記少なくとも１つのワイヤレスターミナル通信装置に対して前記少なくとも１つのコンポーネントキャリアを起動させるかどうかを判断する請求項１８に記載のワイヤレス通信局。
【請求項２０】
前記通信プロトコルユニットが、第１コンポーネントキャリアにおいて前記少なくとも１つのワイヤレスターミナル通信装置と通信し、
前記通信プロトコルユニットが、リモートヘッド装置を介して、第２コンポーネントキャリアにおいて前記少なくとも１つのワイヤレスターミナル通信装置と通信する請求項１４に記載のワイヤレス通信局。
【請求項２１】
前記リモートヘッド装置を介して、前記第２コンポーネントキャリアにおいて前記少なくとも１つのワイヤレスターミナル通信装置と通信する前に、
前記通信プロトコルユニットが、前記リモートヘッド装置を発見し、
前記通信プロトコルユニットが、前記リモートヘッド装置を初期化し、
前記通信プロトコルユニットが、前記リモートヘッド装置の前記構成されたコンポーネントキャリアを起動する請求項２０に記載のワイヤレス通信局。
【請求項２２】
前記少なくとも１つのワイヤレスターミナル通信装置のそれぞれに対して、前記通信プロトコルユニットが、前記集約された異種コンポーネントキャリアの１つをプライマリコンポーネントキャリアとして構成し、前記集約された異種コンポーネントキャリアの前記残りのコンポーネントキャリアをセカンダリコンポーネントキャリアとして構成する請求項１４に記載のワイヤレス通信局。
【請求項２３】
前記通信プロトコルユニットが、前記プライマリコンポーネントキャリアまたは前記少なくとも１つのセカンダリコンポーネントキャリアを使用して、前記少なくとも１つのセカンダリコンポーネントキャリアの前記少なくとも１つのワイヤレスターミナル通信装置により伝送されたアップリンクデータに対してＨＡＲＱ ＡＣＫ／ＮＡＣＫ情報を伝送する請求項２２に記載のワイヤレス通信局。
【請求項２４】
前記ワイヤレス通信局が、基地局、Ｎｏｄｅ‐Ｂ、ｅＮｏｄｅＢ、基地局送受信システム、リモートヘッド装置、アクセスポイント、ホーム基地局、フェムトセル基地局、中継局、散乱物体、リピータ、中間ノード、媒介物、および衛星ベース通信基地局のうちの１つである請求項１４に記載のワイヤレス通信局。
【請求項２５】
通信装置に適用される異種コンポーネントキャリアのアグリゲーションを行う通信方法であって、
プロトコルスタックのレイヤ２またはレイヤ２より下において、異種アクセス技術にそれぞれ対応する物理チャネルリソースを集約するステップと、
前記異種アクセス技術にそれぞれ対応する前記物理チャネルリソースを介して、少なくとも１つのワイヤレス通信局と通信するステップと
を含み、前記異種アクセス技術にそれぞれ対応する前記物理チャネルリソースが、異種コンポーネントキャリアである異種コンポーネントキャリアのアグリゲーションを行う通信方法。
【請求項２６】
前記異種コンポーネントキャリアが、無線コンポーネントキャリア、光コンポーネントキャリアおよび音響コンポーネントキャリアのうちの少なくとも２つを含む請求項２５に記載の異種コンポーネントキャリアのアグリゲーションを行う通信方法。
【請求項２７】
前記レイヤ２が、媒体アクセス制御（ＭＡＣ）、無線回線制御（ＲＬＣ）およびパケットデータコンバージェンスプロトコル（ＰＤＣＰ）サブレイヤのうちの少なくとも１つを含む請求項２５に記載の異種コンポーネントキャリアのアグリゲーションを行う通信方法。
【請求項２８】
前記物理チャネルリソースが、前記少なくとも１つのワイヤレス通信局から受信した少なくとも１つのメッセージに基づく請求項２５に記載の異種コンポーネントキャリアのアグリゲーションを行う通信方法。
【請求項２９】
前記プロトコルスタックの前記レイヤ２または前記レイヤ２より下において、前記異種アクセス技術にそれぞれ対応する前記物理チャネルリソースを集約する前記ステップが、
構成された異種コンポーネントキャリアのそれぞれに対して少なくとも１つのＨＡＲＱエンティティをアシストすること
を含む請求項２５に記載の異種コンポーネントキャリアのアグリゲーションを行う通信方法。
【請求項３０】
前記少なくとも１つのワイヤレスターミナル通信装置に少なくとも１つのコンポーネントキャリアを構成するステップ
をさらに含む請求項２５に記載の異種コンポーネントキャリアのアグリゲーションを行う通信方法。
【請求項３１】
前記ワイヤレス通信局から前記少なくとも１つのコンポーネントキャリアに対応する基準信号を測定するステップと、
前記少なくとも１つのコンポーネントキャリアのチャネル品質に関する測定情報を前記ワイヤレス通信局に伝送するステップと、
前記ワイヤレス通信局からメッセージを受信するステップと、
前記メッセージに基づいて前記少なくとも１つのコンポーネントキャリアのいくつかを起動するステップと
をさらに含む請求項３０に記載の異種コンポーネントキャリアのアグリゲーションを行う通信方法。
【請求項３２】
第１コンポーネントキャリアにおいて前記少なくとも１つのワイヤレスターミナル通信装置と通信するステップと、
リモートヘッド装置を介して、第２コンポーネントキャリアにおいて前記少なくとも１つのワイヤレスターミナル通信装置と通信するステップと
をさらに含む請求項２５に記載の異種コンポーネントキャリアのアグリゲーションを行う通信方法。
【請求項３３】
前記集約された異種コンポーネントキャリアの１つをプライマリコンポーネントキャリアとして構成するステップと、
前記集約された異種コンポーネントキャリアの前記残りのコンポーネントキャリアをセカンダリコンポーネントキャリアとして構成するステップと
をさらに含む請求項２５に記載の異種コンポーネントキャリアのアグリゲーションを行う通信方法。
【請求項３４】
少なくとも前記プライマリコンポーネントキャリアを使用して、前記少なくとも１つのセカンダリコンポーネントキャリアに伝送されたダウンリンクに対してＨＡＲＱ ＡＣＫ／ＮＡＣＫ情報を伝送するステップ
をさらに含む請求項３３に記載の異種コンポーネントキャリアのアグリゲーションを行う通信方法。
【請求項３５】
少なくとも前記プライマリコンポーネントキャリアを使用して、前記セカンダリコンポーネントキャリアに伝送されたダウンリンクに対してＨＡＲＱ ＡＣＫ／ＮＡＣＫ情報を伝送するステップ
をさらに含む請求項３３に記載の異種コンポーネントキャリアのアグリゲーションを行う通信方法。
【請求項３６】
少なくとも１つの物理チャネルリソースを介して、少なくとも１つのワイヤレス通信装置と通信するよう構成された少なくとも１つの物理通信ユニットと、
前記少なくとも１つの物理通信ユニットに接続され、プロトコルスタックのレイヤ２または前記レイヤ２より下において、異種アクセス技術にそれぞれ対応する物理チャネルリソースを集約するよう構成された通信プロトコルユニットと
を含み、前記異種アクセス技術にそれぞれ対応する前記物理チャネルリソースが、異種コンポーネントキャリアである通信装置。
【請求項３７】
前記異種コンポーネントキャリアが、無線コンポーネントキャリア、光コンポーネントキャリアおよび音響コンポーネントキャリアのうちの少なくとも２つを含む請求項３６に記載の通信装置。
【請求項３８】
前記レイヤ２が、媒体アクセス制御（ＭＡＣ）、無線回線制御（ＲＬＣ）およびパケットデータコンバージェンスプロトコル（ＰＤＣＰ）サブレイヤのうちの少なくとも１つを含む請求項３６に記載の通信装置。
【請求項３９】
前記通信プロトコルユニットが、構成された異種コンポーネントキャリアのそれぞれに対して少なくとも１つのＨＡＲＱエンティティをアシストする請求項３６に記載の通信装置。
【請求項４０】
前記通信プロトコルユニットが、前記ワイヤレスターミナル通信装置に少なくとも１つのコンポーネントキャリアを構成する請求項３６に記載の通信装置。
【請求項４１】
前記通信プロトコルユニットが、前記少なくとも１つのワイヤレス通信局から前記少なくとも１つのコンポーネントキャリアに対応する基準信号を測定し、
前記通信プロトコルユニットが、前記少なくとも１つのコンポーネントキャリアのチャネル品質に関する測定情報を前記少なくとも１つのワイヤレス通信局に伝送し、
前記通信プロトコルユニットが、前記少なくとも１つのワイヤレス通信局からメッセージを受信し、
前記通信プロトコルユニットが、前記メッセージに基づいて前記少なくとも１つのコンポーネントキャリアのいくつかを起動する請求項４０に記載の通信装置。
【請求項４２】
前記通信プロトコルユニットが、第１コンポーネントキャリアにおいて前記少なくとも１つのワイヤレスターミナル通信装置と通信し、
前記通信プロトコルユニットが、リモートヘッド装置を介して、第２コンポーネントキャリアにおいて前記少なくとも１つのワイヤレスターミナル通信装置と通信する請求項３６に記載の通信装置。
【請求項４３】
前記通信プロトコルユニットが、前記集約された異種コンポーネントキャリアの１つをプライマリコンポーネントキャリアとして構成し、
前記通信プロトコルユニットが、前記集約された異種コンポーネントキャリアの前記残りのコンポーネントキャリアをセカンダリコンポーネントキャリアとして構成する請求項３６に記載の通信装置。
【請求項４４】
前記通信プロトコルユニットが、少なくとも前記プライマリコンポーネントキャリアを使用して、前記少なくとも１つのセカンダリコンポーネントキャリアに伝送されたダウンリンクデータに対してＨＡＲＱ ＡＣＫ／ＮＡＣＫ情報を伝送する請求項４２に記載の通信装置。
【請求項４５】
前記通信プロトコルユニットが、少なくとも前記プライマリコンポーネントキャリアを使用して、前記プライマリコンポーネントキャリアに伝送されたダウンリンクデータに対してＨＡＲＱ ＡＣＫ／ＮＡＣＫ情報を伝送する請求項４２に記載の通信装置。
【発明の詳細な説明】
【技術分野】
【０００１】
本発明は、異種コンポーネントキャリア（heterogeneous component carrier）と通信装置のアグリゲーション（aggregation）を行う通信方法およびそれを用いたワイヤレス通信局に関するものである。
【背景技術】
【０００２】
より高速なデータ伝送を提供し、多様な応用をサポートするため、通信サービスのプロバイダは、現存の通信ネットワークに対する改良を継続的に進めている。この目標を達成する一つの方法として、より広範囲の帯域割り当て（bandwidth allocation）がある。これまで、ワイヤレス通信を達成するために、無線通信（例えば、ＵＭＴＳ、ＨＳＰＡ＋、ＬＴＥ、ＬＴＥアドバンスト（LTE-Advanced）、ＷｉＭＡＸ、ＷｉＦｉ、ジグビー（Zigbee）、ブルートゥース（Bluetooth）等）、光通信（例えば、可視光通信（Visible Light Communication, VLC））、音声通信（例えば、ソナー（Sonar））、赤外線通信等のたくさんの技術が開発された。そのため、これらの異種通信技術を統合して、モバイルユーザーにより広範囲の帯域幅、および／またはより速い高速データ通信を提供することが重要である。
【発明の概要】
【発明が解決しようとする課題】
【０００３】
ワイヤレス通信を達成するため、無線通信、光通信、音声通信、赤外線通信等のたくさんの技術が開発された。そのため、これらの異種通信技術をいかにして一体化するかが、重要な課題となっている。
【課題を解決するための手段】
【０００４】
ここで、異種コンポーネントキャリアのアグリゲーションを行う通信方法について説明する。１つの例示的実施形態中、異種コンポーネントキャリアのアグリゲーションを行う通信方法は、ワイヤレス通信局に適用され、プロトコルスタックのレイヤ２（Layer 2）またはレイヤ２より下において、異種アクセス技術にそれぞれ対応する物理チャネルリソースを集約するステップと、異種アクセス技術にそれぞれ対応する物理チャネルリソースを介して、少なくとも１つのワイヤレスターミナル通信装置と通信するステップとを含む。そのうち、異種アクセス技術にそれぞれ対応する物理チャネルリソースは、異種コンポーネントキャリアである。
【０００５】
ここで、ワイヤレス通信局について説明する。１つの例示的実施形態中、ワイヤレス通信局は、少なくとも１つの物理通信ユニットと、通信プロトコルユニットとを含む。少なくとも１つの物理通信ユニットは、少なくとも１つの物理チャネルリソースを介して、少なくとも１つのワイヤレス通信装置と通信するよう構成される。通信プロトコルユニットは、少なくとも１つの物理通信ユニットに接続され、プロトコルスタックのレイヤ２またはレイヤ２より下において、異種アクセス技術にそれぞれ対応する物理チャネルリソースを集約するよう構成される。そのうち、異種アクセス技術にそれぞれ対応する物理チャネルリソースは、異種コンポーネントキャリアである。
【０００６】
ここで、異種コンポーネントキャリアのアグリゲーションを行う通信方法について説明する。１つの例示的実施形態中、異種コンポーネントキャリアのアグリゲーションを行う通信方法は、通信装置に適用され、プロトコルスタックのレイヤ２またはレイヤ２より下において、異種アクセス技術にそれぞれ対応する物理チャネルリソースを集約するステップと、異種アクセス技術にそれぞれ対応する物理チャネルリソースを介して、少なくとも１つのワイヤレス通信局と通信するステップとを含む。
【０００７】
ここで、通信装置について説明する。１つの例示的実施形態中、通信装置は、少なくとも１つの物理通信ユニットと、通信プロトコルユニットとを含む。少なくとも１つの物理通信ユニットは、少なくとも１つの物理チャネルリソースを介して、少なくとも１つのワイヤレス通信装置と通信するよう構成される。通信プロトコルユニットは、少なくとも１つの物理通信ユニットに接続され、プロトコルスタックのレイヤ２またはレイヤ２より下において、異種アクセス技術にそれぞれ対応する物理チャネルリソースを集約するよう構成される。そのうち、異種アクセス技術にそれぞれ対応する物理チャネルリソースは、異種コンポーネントキャリアである。
【発明の効果】
【０００８】
本発明は、異種ワイヤレス通信技術を統合することによって、ワイヤレスユーザーにより速い高速データ通信を提供する。ｅＮｏｄｅＢは、より速い高速データ通信の達成に複数の高周波／アンテナを必要としないため、本発明は、データ速度の向上に加え、ｅＮｏｄｅＢの実装コストを減らすために使用することができる。省エネの観点からみると、本発明は、ｅＮｏｄｅＢからのダウンリンク信号／電力を減らすことができる。また、可視光通信の電力は、無線伝送による電力よりも少ない。このように、本発明は、効率的な異種ワイヤレス通信環境を達成することができる。
【図面の簡単な説明】
【０００９】
【図１】本発明の１つの実施形態に係る異種コンポーネントキャリアとのキャリアアグリゲーションに関連する通信方法を示す概略図である。
【図２】本発明の１つの実施形態に係る異種コンポーネントキャリアのアグリゲーションを利用した通信ネットワークを示す概略図である。
【図３】本発明の１つの実施形態に係る異種コンポーネントキャリアのアグリゲーションを利用した通信ネットワークを示す概略図である。
【図４】異種コンポーネントキャリアのアグリゲーションを利用した通信ネットワークのシステムアーキテクチャを示したものである。
【図５Ａ】１つの例示的実施形態に係る基地局を示す機能ブロック図である。
【図５Ｂ】１つの例示的実施形態に係るワイヤレス通信装置を示す機能ブロック図である。
【図６Ａ】本発明の１つの実施形態に係る異種コンポーネントキャリアのアグリゲーションを行う通信方法のレイヤ２プロトコルスタックを示す概略図である。
【図６Ｂ】本発明の１つの実施形態に係る異種コンポーネントキャリアのアグリゲーションを行う通信方法のレイヤ２プロトコルスタックを示す概略図である。
【図６Ｃ】本発明の１つの実施形態に係る異種コンポーネントキャリアのアグリゲーションを行う通信方法のレイヤ２プロトコルスタックを示す概略図である。
【図７】本発明の１つの実施形態に係る光コンポーネントキャリアにダウンリンクマルチキャスト／ブロードキャストを行うレイヤ２プロトコルスタックを示す概略図である。
【図８】本発明の１つの実施形態に係るＲＣＣにユニキャストサービスをサポートし、ＯＣＣにＭＢＭＳをサポートするための通信方法のレイヤ２プロトコルスタックを示す概略図である。
【図９】セカンダリＲＯＨセルにダウンリンク伝送のみがサポートされている場合のレイヤ２アップリンクプロトコルスタックを示したものである。
【図１０】セカンダリＲＯＨセルにアップリンク伝送がサポートされている場合のレイヤ２アップリンクプロトコルスタックを示したものである。
【図１１】可視光通信（ＶＬＣ）に基づく通信の物理チャネル処理を示す概略図である。
【図１２】１つの例示的実施形態に係る光コンポーネントキャリアＯＣＣのフレーム構造の例を示したものである。
【図１３】電力線通信を用いてリモート光ヘッド装置をｅＮｏｄｅＢと接続した場合のコントロールプレインプロトコルスタックを示したものである。
【図１４】電力線通信を用いてリモート光ヘッド装置をｅＮｏｄｅＢと接続した場合のユーザープレインプロトコルスタックを示したものである。
【図１５】１つの例示的実施形態に係るＵＥがプライマリコンポーネントキャリアを用いてセカンダリコンポーネントキャリアからダウンリンクデータに対してフィードバックＨＡＲＱを行った場合のＲＯＨからＵＥへのセカンダリコンポーネントキャリアのダウンリンク伝送を示したものである。
【図１６】第１実施形態に係る無線コンポーネントキャリアと光コンポーネントキャリアのアグリゲーションに基づく通信システムを示す概略図である。
【図１７】異種コンポーネントキャリアのアグリゲーションを行う通信方法の操作手順を示すフローチャートである。
【図１８】第１実施形態に係る可能なＲＯＨの発見方法を示したものである。
【図１９】第１実施形態に係る可能なＲＯＨの別の発見方法を示したものである。
【図２０】第２実施形態に係る無線コンポーネントキャリアと音響コンポーネントキャリアのアグリゲーションに基づく通信システムを示す概略図である。
【図２１】本発明の１つの実施形態に係る異種コンポーネントキャリアとのキャリアアグリゲーションに関連する通信方法を示すフローチャートである。
【図２２】本発明の１つの実施形態に係る異種コンポーネントキャリアとのキャリアアグリゲーションに関連する別の通信方法を示すフローチャートである。
【発明を実施するための形態】
【００１０】
以下、本発明の全ての実施形態ではないが、いくつかの実施形態が示される添付の図面を参照して、本発明をさらに詳細に説明する。実際、本発明は多くの異なる形態で実施されてもよく、ここに述べる実施形態に制限されると解釈されるべきではない。むしろ、これらの実施形態は、この開示内容が適用される法的要件を満足するように提供されるものである。図面を通して、同様の参照番号は同様の要素を指す。
【００１１】
本発明は、異種ワイヤレス通信技術を統合する方法および装置を提供する。言い換えると、異種コンポーネントキャリアとワイヤレスターミナル通信装置、ワイヤレスリモートヘッド装置およびワイヤレス通信局（例えば、基地局装置）のアグリゲーションを行う通信方法を提案する。以下の段落で、より詳しい説明を行う。本発明が提案する異種コンポーネントキャリアのアグリゲーションを行う通信方法は、複雑にならないよう簡単に示してあるが、ワイヤレスターミナル通信装置により広い帯域幅を提供する点では、予期された性能を達成することができる。注意すべきこととして、第３世代プロジェクトパードナーシップ（third generation project partnership, 3GPP）等の技術用語を使用して本発明の主要概念について説明するが、本発明が提案する異種コンポーネントキャリアのアグリゲーションを行う通信方法は、他のどのワイヤレス通信システム（例えば、ＩＥＥＥ ８０２．１１、ＩＥＥＥ ８０２．１６、ＷｉＭＡＸ等）にも適用することが可能である。
【００１２】
本発明を通して、ユーザー機器（user equipment, UE）は、移動端末、アドバンスト移動端末（advanced mobile station, AMS）、ワイヤレスターミナル通信装置、Ｍ２Ｍデバイス、ＭＴＣデバイス等を指す。本発明の用語「ＵＥ」は、例えば、サーバー、クライアント、デスクトップコンピュータ、ラップトップコンピュータ、ネットワークコンピュータ、ワークステーション、パーソナル携帯情報機器（personal digital assistant, PDA）、タブレットＰＣ（tablet personal computer）、スキャナ、テレフォニーデバイス、ポケットベル、カメラ、テレビ、テレビゲームデバイス、音楽デバイス、メディアプレーヤーデバイス、ワイヤレスセンサ等であってもよい。いくつかの応用において、ＵＥは、バス、電車、飛行機、ボート、車等のモバイル環境で操作される固定されたコンピュータであってもよい。
【００１３】
本発明において、用語「ｅＮｏｄｅＢ」は、例えば、基地局（base station, BS）、Ｎｏｄｅ‐Ｂ、ｅＮｏｄｅ Ｂ、基地局送受信システム（base transceiver system, BTS）、リモートヘッド装置、アクセスポイント、ホーム基地局、フェムトセル基地局、中継局（relay station）、散乱物体（scatterer）、リピータ（repeater）、中間ノード（intermediate node）、媒介物（intermediary）、および／または衛星ベース通信基地局等であってもよい。
【００１４】
本発明において、用語「ダウンリンク」（downlink, DL）は、基地局の無線カバレッジ内の基地局／リモートヘッド装置からＵＥへの高周波信号伝送を指し、用語「アップリンク」（uplink, UL）は、ＵＥからそのアクセス基地局／リモートヘッド装置への高周波信号伝送を指す。
【００１５】
また、本発明において、用語ＣＣは、コンポーネントキャリア（component carrier）を示すために使用される。しかし、ＣＣは、いくつかの技術文献や技術仕様書において、周波数分割復信（frequency division duplex, FDD）および／または時間分割復信（time division duplex, TDD）で操作されるセルとみなされることもある。セルは、ＢＳからＵＥに信号を伝送するダウンリンクリソースを有しても、および／または、ＵＥからＢＳに信号を伝送するアップリンクリソースを有してもよい。例えば、「プライマリＣＣ」（または「ＰＣＣ」）は、用語「プライマリセル」（Primary Cell, Pcell）と同じであってもよく、用語「セカンダリＣＣ」（または「ＳＣＣ」）は、用語「セカンダリセル」（Secondary Cell, Scell）と同じであってもよい。
【００１６】
複数のＣＣは、同じ周波数帯域で動作しても、あるいは異なる周波数帯域で動作してもよく、同じ中心周波数を有しても、あるいは異なる中心数は数を有してもよい。複数のＣＣは、同じｅＮｏｄｅＢに属しても、あるいは異なるｅＮｏｄｅＢに属してもよい。
【００１７】
本発明が提案する異種コンポーネントキャリアのアグリゲーションを行う通信方法は（異なる通信技術であってもよい）、ワイヤレス通信環境で操作することができる。異種キャリアのアグリゲーションのワイヤレス通信システムは、少なくとも２つの異種コンポーネントキャリアを備えた通信ネットワークと、少なくとも２つの異種コンポーネントキャリアを集約するための通信モジュール（物理層および対応するＭＡＣ層を含む）を備えたＵＥと、レイヤ２またはレイヤ２より下において、異種コンポーネントキャリアを集約する手段とを含むことができる。
【００１８】
本発明では、例として、３ＧＰＰ長期進化（Long term evolution, LTE）を使用する。より広範囲の伝送帯域幅を提供するため、ＬＴＥアドバンストシステムでは、キャリアアグリゲーション（carrier aggregation, CA）を使用して、同じｅＮｏｄｅＢからの２つまたはそれ以上のＬＴＥコンポーネントキャリア（ＣＣ）を集約する。キャリアアグリゲーション技術において、通信ネットワークは、異なる帯域幅を有する連続キャリア（continuous carrier）または不連続キャリア（discontinuous carrier）上での操作を可能にすることができる。また、ＵＥは、その能力に応じて、１つのＣＣまたは複数のＣＣで同時に受信または伝送することができる。例えば、ｅＮＢのワイヤレスサービスカバレッジでは、ＣＡに対して受信および伝送能力を有するＣＣは、複数のＣＣで同時に受信および伝送することができるが、いくつかのＣＣは、１つのＣＣのみでしか受信および送信することができない。
【００１９】
本発明は、異種コンポーネントキャリアとのキャリアアグリゲーションを達成するメカニズムを提供する。図１は、本発明の１つの実施形態に係る異種コンポーネントキャリアとのキャリアアグリゲーションに関連する通信方法を示す概略図である。図１に示すように、上半分のプロトコルスタックは、基地局（または、ｅＮｏｄｅＢ）側のプロトコルスタック層を指し、通信ネットワーク（例えば、ｅＮｏｄｅＢ）は、異種コンポーネントキャリア（ＣＣ）を備えることができる。例えば、１つまたはそれ以上の無線コンポーネントキャリア（例えば、ＬＴＥキャリアを使用して）、１つまたはそれ以上の光コンポーネントキャリア（例えば、可視光通信を使用して）、および／または、１つまたはそれ以上の音響コンポーネントキャリアを備えることができ、これらは、ソナーを使用してワイヤレス通信を達成することができる。本発明は、無線コンポーネントキャリア、光コンポーネントキャリアおよび音響コンポーネントキャリアに限定されず、別の実施形態において、赤外線コンポーネントキャリア等の他の通信技術を使用してもよい。
【００２０】
図１を参照すると、基地局では、物理層において、無線コンポーネントキャリア（radio component carrier, RCC）１１３、光コンポーネントキャリア（optical component carrier, OCC）１１４および音響コンポーネントキャリア（acoustic component carrier, ACC）１１５がＭＡＣ層（図１のＭＡＣスケジューリングを指す）１１２に集約され、ＭＡＣ層１１２の上部にネットワーク層１１１が設けられる。
【００２１】
図１を参照すると、図１の下半分に３人のユーザーが示されている。ユーザー１は、物理層（ＰＨＹ ＲＣＣを指す）１２３に１つのＲＣＣのみを有し、ＲＣＣ１２３の上部にＭＡＣ層１２２があり、ＭＡＣ層１２２の上部にネットワーク層１２１がある。ＲＣＣ１１３およびＲＣＣ１２３を介して、基地局とユーザー１の間の通信が行われる。また、ユーザー２は、物理層に１つのＲＣＣ１３３および１つのＯＣＣ１３４を有し、ＲＣＣ１３３およびＯＣＣ１３４の上部にＭＡＣ層１３２があり、ＭＡＣ層１３２は、ＲＣＣ１３３およびＯＣＣ１３４を集約する。ＭＡＣ層１３２の上部にネットワーク層１３１がある。ＲＣＣ１１３およびＲＣＣ１３３、および／またはＯＣＣ１１４およびＯＣＣ１３４を介して、基地局とユーザー２の間の通信が行われる。同様に、ユーザー３は、物理層に１つのＲＣＣ１４３および１つのＡＣＣ１４４を有し、ＲＣＣ１４３およびＡＣＣ１４４の上部にＭＡＣ層１４２があり、ＭＡＣ層１４２は、ＲＣＣ１４３およびＡＣＣ１４４を集約する。ＭＡＣ層１４２の上部にネットワーク層１４１がある。ＲＣＣ１１３およびＲＣＣ１４３、および／またはＡＣＣ１１５およびＡＣＣ１４４を介して、基地局とユーザー３の間の通信が行われる。
【００２２】
通信ネットワークは、ＵＥを設置して、ＵＥ能力に基づいて２つまたはそれ以上のＣＣと異種通信媒体を集約することができる。例えば、ＵＥは、そのＵＥ能力情報を通信ネットワークに提供し、異種コンポーネントキャリアのアグリゲーションのサポートを示すことができる。ＵＥ能力情報に基づいて、通信ネットワークは、２つのＣＣを有するＵＥを設置するかどうかを判断する。１つは、無線コンポーネントキャリア（ＲＣＣ）であり、もう１つは、光コンポーネントキャリア（ＯＣＣ）である。ＵＥは、その能力に基づいたこれらの異種ＣＣを介して、同時に受信および／または伝送することができる。
【００２３】
図２は、本発明の１つの実施形態に係る異種コンポーネントキャリアのアグリゲーションを利用した通信ネットワークを示す概略図である。図２を参照すると、通信ネットワーク２０において、基地局２１は、同じセルサイト（cell site）に配置されたＲＯＨ２１３およびＲＲＨ２１２のように、同じセルサイトのリモートヘッド装置に接続することができる。また、基地局２１は、ＲＯＨ２１３と異なるセルサイトに配置されたＲＡＨ２１１のように、異なる物理的位置に配置された他のリモートヘッド装置に接続されてもよい。また、本実施形態において、別の基地局２２は、同じセルサイトに配置されたＲＡＨ２２２およびＲＲＨ２２３のように、同じセルサイトのリモートヘッド装置に接続される。注意すべきこととして、基地局２１または２２は、依然として対応するＲＣＣを有し、そのワイヤレスサービスカバレッジ内でＵＥと通信することができる。
【００２４】
図３は、本発明の１つの実施形態に係る異種コンポーネントキャリアのアグリゲーションを利用した通信ネットワークを示す概略図である。図３を参照すると、通信ネットワークにおいて、基地局３１のワイヤレスカバレッジエリア（マクロセル３００を示す）内には、ＲＲＨ３２、ＲＯＨ３３、ＲＡＨ３４、ＲＯＨ３５（ライトセルとも称す）、およびＲＲＨ３６がある。マクロセル３００内には、ＵＥ３７、３８および３９もある。基地局３１は、ＲＲＨ３２、ＲＯＨ３３、ＲＡＨ３４、ＲＯＨ３５およびＲＲＨ３６に接続することができる。ＵＥ３８は、ＲＯＨ３５のワイヤレスサービスカバレッジエリア内にあり、ＵＥ３９は、ＲＲＨ３６のワイヤレスサービスカバレッジエリア内にある。
【００２５】
本実施形態において、ＵＥに対して通信ネットワークによって構成されたＣＣのうちの１つをプライマリＣＣ（ＰＣＣまたはＰｃｅｌｌとも称す）と称し、他のＣＣをセカンダリＣＣ（ＳＣＣまたはＳｃｅｌｌとも称す）と称する。例えば、ネットワークは、「ＬＴＥセル」（マクロセル３００等）をＰｃｅｌｌとして設置し、「ライトセル」（ＲＯＨ３５等）をＳｃｅｌｌとして構成してもよい。いくつかの実施形態において、ＰＣｅｌｌは、リソース割り当て（resource allocarion）情報（例えば、ＰＤＣＣＨ）を提供して、ＳＣｅｌｌのダウンリンクアサインメント（DL assignment）および／またはアップリンク帯域グラント（UL grants）を行ってもよい。このようにして、ＳＣｅｌｌに対し、制御チャネルのオーバーヘッドを減らすことができる。
【００２６】
また、ＳＣＣに使用される通信媒体は、単向送信（unidirectional transmission）（すなわち、通信ネットワークからＵＥへ、またはＵＥから通信ネットワークへ）しか提供しない。例えば、いくつかの実施形態において、ＯＣＣではダウンリンク伝送のみが許可される。ハイブリッド自動再送要求（hybrid automatic repeated request, HARQ）肯定応答／否定応答（acknowledgement/negative acknowledgement, ACK/NACK）フィードバックに関しては、ＳＣｅｌｌダウンリンク伝送のＡＣＫ／ＮＡＣＫフィードバックは、対応するＰＣｅｌｌを介して送信される。例えば、ＯＣＣにおけるダウンリンク伝送のＨＡＲＱ ＡＣＫ／ＮＡＣＫフィードバックは、ＲＣＣを介してＵＥによって送信されてもよい。
【００２７】
図４は、異種コンポーネントキャリアのアグリゲーションを利用した通信ネットワークのシステムアーキテクチャを示したものである。図４を参照すると、通信ネットワーク４０は、少なくともモビリティ管理エンティティ（mobility management entity, MME）／サービングゲートウェイ（serving gateway, S-GW）４１２と、ＭＭＥ／Ｓ‐ＧＷ４１４と、ｅＮｏｄｅＢ４２１と、ｅＮｏｄｅＢ４２２と、ＲＲＨ４３１と、ＲＯＨ４４１と、ＲＯＨ４４２と、ＲＡＨ４５１とを含む。図４においてＵＥは図示されていないが、ＵＥはｅＮｏｄｅＢ４２１、ｅＮｏｄｅＢ４２２、ＲＲＨ４３１、ＲＯＨ４４１、ＲＯＨ４４２およびＲＡＨ４５１を有するＣＣを介して、通信ネットワーク４０にアクセスすることができる。
【００２８】
いくつかの実施形態において、異種伝送ポイント（例えば、ｅＮｏｄｅＢ４２１、ＲＲＨ４３１、ＲＡＨ４５１、ＲＯＨ４４１等）は、同じ位置または同じデバイス内（例えば、同じｅＮｏｄｅＢによって装備された）に配置することができる。例えば、ｅＮｏｄｅＢは、ＲＯＨ能力とＲＲＨ能力の両方を有することができる。別の実施形態において、異種の伝送ポイントは、有線（例えば、光ファイバー、電力線、同軸ケーブル等）によって接続されてもよく、および／または、Ｘ２インターフェースを用いて接続されてもよい。図４において、ｅＮｏｄｅＢ４２１、ｅＮｏｄｅＢ４２２、ＲＲＨ４３１、ＲＯＨ４４１、ＲＯＨ４４２およびＲＡＨ４５１は、Ｘ２インターフェースを用いて、隣接する異種伝送ポイントと接続される。このような場合、いくつかの有線通信プロトコル（例えば、ＩＴＵ Ｇ．ｈｎ（ＩＴＵ Ｇ．９９６０）、ＩＥＥＥ Ｐ１９０１、ホームプラグ（HomePlug）ＡＶ、メディアエクストリーム（MediaXtream）、ＨＰＮＡ（ＩＴＵ Ｇ．９９５４））を適用することができる。さらに、異種伝送ポイント（例えば、ｅＮｏｄｅＢ４２１、ｅＮｏｄｅＢ４２２またはＲＯＨ４４１）は、Ｓ１インターフェースを用いてゲートウェイ（例えば、ＭＭＳ／Ｓ‐ＧＷ４１２、４１４）と通信することができる。つまり、ｅＮｏｄｅＢ４２１およびｅＮｏｄｅＢ４２２は、Ｓ１インターフェースを用いてゲートウェイと通信することができる。
【００２９】
図５Ａは、１つの例示的実施形態に係る無線通信局（例えば、基地局）を示す機能ブロック図である。図５Ａを参照すると、基地局５０は、少なくとも通信プロトコルユニット５１と、物理通信ユニット５２１、…、５２ｎと、ネットワークインターフェース５３とを含む。例えば、物理通信ユニット５２１、…、５２ｎは、無線通信ユニット５２１、光通信ユニット５２２、および／または音響通信ユニット５２３等であってもよい。物理通信ユニット５２１、…、５２ｎは、対応するワイヤレスアクセスコンポーネントキャリアを提供して、基地局５０のワイヤレスサービスカバレッジエリア内でリモートヘッド装置およびＵＥと通信するよう構成される。
【００３０】
実際の応用では、各物理通信ユニット５２１、…、５２ｎは、対応する（図５Ａに図示せず）ワイヤレス送受信手段（アンテナ、光信号送信機または光信号受信機、または音響信号送信機または音響信号受信機等）に接続された送受信回路であってもよい。また、各物理通信ユニット５２１、…、５２ｎの送受信回路は、アナログ‐デジタル信号変換、デジタル‐アナログ信号変換、変調、復調、信号増幅、低域フィルタ、バンドパスフィルタ等を行うよう構成される。さらに、送受信回路は、受信したメッセージ（ワイヤレス通信装置が伝送する無線信号から変換された）を通信プロトコルユニット５１に提供するとともに、通信プロトコルユニット５１からのメッセージを変調された無線信号に変調し、さらに、変調された無線信号を対応するコンポーネントキャリア上のワイヤレス通信装置に伝送する。
【００３１】
図５Ａを参照すると、少なくとも通信プロトコルユニット５１と、物理通信ユニット５２１、…、５２ｎと、ネットワークインターフェース５３とを含むワイヤレス通信局（例えば、基地局５０）は、レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等で操作することのできる通信プロトコルスタックソフトウェアユニットを有するワイヤレス通信プロトコルスタックを含むことができる。ネットワークインターフェース５３は、通信プロトコルユニット５１に接続され、ＭＭＥ／Ｓ‐ＧＷ、ネットワークコントローラ、および他の基地局またはリモートヘッド装置等の他のネットワーキングエンティティ（networking entity）を有する基地局５０を接続するよう構成される。
【００３２】
通信プロトコルユニット５１は、少なくとも１つのプロセッサユニット（図５Ａに図示せず）と、少なくとも１つの通信プロトコルスタックソフトウェア（または通信プロトコルスタックファームウェア）とを含んでもよい。各プロセッサユニットは、複数のプロセッサコアを含んでもよく、プロセッサユニットが通信プロトコルスタックソフトウェア（レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等の手順に対応するインストラクションコードを含む）を実行した時、通信プロトコルユニット５１は、レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等に対応する関連手順を実行することができる。例えば、通信プロトコルユニット５１は、レイヤ２またはレイヤ２より下において、異種コンポーネントキャリアのアグリゲーションにおいて関連機能を実行することができ、同時に、通信プロトコルユニット５１は、さらに、以下の図６〜２０で説明する関連手順を実行することができる。
【００３３】
図５Ｂは、１つの例示的実施形態に係るワイヤレス通信装置を示す機能ブロック図である。図５Ｂを参照すると、ワイヤレス通信装置５５は、少なくとも通信プロトコルユニット５６と、物理通信ユニット５７１、…、５７ｎとを含む。例えば、物理通信ユニット５７１、…、５７ｎは、無線通信ユニット５７１、光通信ユニット５７２、および／または音響通信ユニット５７３等であってもよい。物理通信ユニット５７１、…、５７ｎは、対応するワイヤレスアクセスコンポーネントキャリアを提供して、リモートヘッド装置または基地局と通信するよう構成される。
【００３４】
実際の応用では、物理通信ユニット５７１、…、５７ｎは、対応する（図５Ｂに図示せず）ワイヤレス送受信手段（アンテナ、光信号送信機または光信号受信機、または音響信号送信機または音響信号受信機等）に接続された送受信回路であってもよい。また、各物理通信ユニット５７１、…、５７ｎの送受信回路は、アナログ‐デジタル信号変換、デジタル‐アナログ信号変換、変調、復調、信号増幅、低域フィルタ、バンドパスフィルタ等を行うよう構成される。さらに、送受信回路は、受信したメッセージ（ワイヤレス通信装置が伝送する無線信号から変換された）を通信プロトコルユニット５６に提供するとともに、通信プロトコルユニット５６からのメッセージを変調された無線信号に変調し、さらに、変調された無線信号を対応するコンポーネントキャリア上のワイヤレス通信装置に伝送する。
【００３５】
図５Ｂを参照すると、通信プロトコルユニット５６と、物理通信ユニット５７１、…、５７ｎとを含むワイヤレス通信局５５は、レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等で操作することのできる通信プロトコルスタックソフトウェアユニットを有するワイヤレス通信プロトコルスタックを含んでもよい。
【００３６】
通信プロトコルユニット５６は、少なくとも１つのプロセッサユニット（図５Ｂに図示せず）と、少なくとも１つの通信プロトコルスタックソフトウェア（または通信プロトコルスタックファームウェア）とを含んでもよい。各プロセッサユニットは、複数のプロセッサコアを含み、プロセッサユニットが通信プロトコルスタックソフトウェア（レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等の手順に対応するインストラクションコードを含む）を実行した時、通信プロトコルユニット５６は、レイヤ１（物理層）、レイヤ２（Ｌ２）、ＩＰ、ＵＤＰ、ＧＴＰ、ＳＣＴＰ、Ｓ１‐ＡＰ、Ｘ２‐ＡＰ等に対応する関連手順を実行することができる。例えば、通信プロトコルユニット５６は、レイヤ２またはレイヤ２より下において、異種コンポーネントキャリアのアグリゲーションにおいて関連機能を実行することができ、同時に、通信プロトコルユニット５６は、さらに、以下の図６〜２０で説明する関連手順を実行することができる。
【００３７】
図６Ａは、本発明の１つの実施形態に係る異種コンポーネントキャリアのアグリゲーションを行う通信方法のレイヤ２プロトコルスタックを示す概略図である。図６Ａから、ＯＣＣが構成されたＤＬのレイヤ２（Ｌ２）構造の例を見ることができる。レイヤ２は、媒体アクセス制御（Medium Access Control, MAC）、無線回線制御（Radio Link Control, RLC）およびパケットデータコンバージェンスプロトコル（Packet Data Convergence Protocol, PDCP）のサブレイヤを含んでもよい。図６Ａを参照すると、本実施形態において、セカンダリＯＣＣは、ＵＥに対して構成される。図６Ａに示すように、構成されたＣＣは少なくとも１つのＨＡＲＱエンティティを必要とするため、物理層の異種キャリアアグリゲーションは、ＭＡＣ層に向かって露出する。例えば、ＵＥに構成されたＲＯＨは、それぞれ１つのＨＡＲＱエンティティを必要とする。ＭＡＣ層は、異種ＣＣのジョイントスケジュールング（joint scheduling）の役割を果たすことができる。
【００３８】
より詳しく説明するため、参照符号６５で示すプロトコルスタックは第１ＵＥに、参照符号６６で示すプロトコルスタックは第２ＵＥに用いられるものとする。プロトコルスタックは、基地局５０の通信プロトコルユニット５１によって実行することができ、少なくとも物理層（図６Ａに明示せず）と、ＭＡＣ層６１と、無線回線制御（ＲＬＣ）層６２と、パケットデータコンバージェンスプロトコル（ＰＤＣＰ）層６３とを含むことができる。第１ＵＥの場合、ＣＣ1のダウンリンク共有チャネル（Downlink-shared channel, DL-SCH）６５４は、ＲＣＣ上のプライマリコンポーネントキャリアを指し、光ＣＣのＤＬ‐ＳＣＨ６５５は、第１ＵＥのＯＣＣ上のセカンダリコンポーネントキャリアを指す。ＭＡＣ層において、ＲＣＣ６５４およびＯＣＣ６５５に対し、それぞれＨＡＲＱエンティティ６５２およびＨＡＲＱエンティティ６５３がある。通信プロトコルユニット５１は、１つまたは異なる論理チャネルからそれぞれのＨＡＲＱエンティティ６５２およびＨＡＲＱエンティティ６５３を介して物理層に搬送されるトランスポートブロック（transport block, TB）にＭＡＣ ＳＤＵを多重送信するためのマルチプレクサ６５１を含んでもよい。マルチプレクサ６５１の上に露出したユニキャストスケジューリングエンティティ７６は、ユニキャストトラフィックスケジューリング／優先処理（unicast traffic scheduling/priority handling）を行うよう構成される。ＭＡＣ層６１の上に露出したＲＬＣ層６２は、パケット分割（packet segmentation）、ＡＲＱ等を行うよう構成される。ＲＬＣ層６２の上に露出したＰＤＣＰ層６３は、セキュリティ機能およびＲＯＨＣを提供するよう構成される。同様にして、第２ＵＥのマルチプレクサ６６１、ＨＡＲＱエンティティ６６２およびＨＡＲＱエンティティ６６３、プライマリＣＣ６６４およびＯＣＣ６６５の詳細については、上述した第１ＵＥの説明を参照することができる。
【００３９】
図６Ａは、また、ＰＤＣＰ層６３の上に露出した無線ベアラ（radio bearer）、ＭＡＣ層６１の上にあるＣＣＣＨ、ＢＣＣＨおよびＰＣＣＨ等の論理チャネル、およびＭＡＣ層６１の下に露出したＢＣＨ、ＰＣＨおよびＭＣＨ等の伝送チャネルを示しているが、本発明の主要概念は、レイヤ２またはレイヤ２より下における異種コンポーネントキャリアのアグリゲーションであるため、これらの詳細な技術内容についてはここで説明しない。
【００４０】
図６Ａは、また、ＤＬマルチキャスト／ブロードキャストサービスのプロトコルスタックを示す。参照番号６８によって露出したプロトコルスタックは、ＤＬマルチキャスト／ブロードキャストサービスの役割を果たす。図７は、本発明の１つの実施形態に係る光コンポーネントキャリアにＤＬマルチキャスト／ブロードキャストを行うレイヤ２プロトコルスタックを示す概略図である。図７において、光ＣＣでマルチメディアブロードキャストマルチキャストサービス（Multimedia Broadcast Multicast Service, MBMS）をサポートするＬ２構造の例が示されている。図７を参照すると、光ＣＣ６８３のマルチキャストチャネル（multicast channel, MCH）は、ＯＣＣ上にブロードキャストおよび/またはマルチキャストトラフィックを提供するよう構成される。ＭＢＭＳスケジューリングユニット６８１は、ＲＬＣ層６２の下に露出し、論理チャネルＭＣＣＨおよびＭＴＣＨを介してＲＬＣ層６２に接続される。ＭＢＭＳスケジューリングユニット６８１は、ＭＣＣＨおよびＭＴＣＨからＤＬマルチキャスト／ブロードキャストトラフィックのスケジューリングを行い、マルチプレクサ６８２は、論理チャネルＭＣＣＨおよびＭＴＣＨから、ＯＣＣ６８３の物理層へ搬送されるトランスポートブロックに、ＤＬマルチキャスト／ブロードキャストトラフィックを多重送信する。
【００４１】
図８において、ＲＣＣでユニキャストサービスをサポートし、ＯＣＣでマルチキャストおよび／またはブロードキャストサービスをサポートするレイヤ２構造の例を見ることができる。図８は、本発明の１つの実施形態に係るＲＣＣでユニキャストサービスをサポートし、ＯＣＣでマルチキャストおよび／またはブロードキャストサービスをサポートする通信方法のレイヤ２プロトコルスタックを示す概略図である。例えば、図８の実施形態において、参照番号８５で示されたプロトコルスタックは第１ＵＥに、参照番号８６で示されたプロトコルスタックは第２ＵＥに用いられる。
【００４２】
プロトコルスタックは、基地局５０の通信プロトコルユニット５１によって実行することができ、少なくとも物理層（図８に明示せず）と、ＭＡＣ層６１と、無線回線制御（ＲＬＣ）層６２と、ＰＤＣＰ層６３とを含むことができる。第１ＵＥの場合、ＤＬ‐ＳＣＨ８５５は、第１ＵＥのＲＣＣを指し、ＤＬ‐ＳＣＨ８６５は、第２ＵＥのＲＣＣを指すことができる。
【００４３】
図８を参照すると、ＭＡＣ層６１において、ＲＣＣ８５５およびＲＣＣ８６５に対し、それぞれＨＡＲＱエンティティ８５３およびＨＡＲＱエンティティ８６３がある。通信プロトコルユニット５１は、上部層からＤＬユニキャストトラフィックを多重送信して、ＤＬユニキャストトラフィックを第１ユーザーのＲＣＣ８５５上に伝送するためのマルチプレクサ８５１を含んでもよい。また、通信プロトコルユニット５１は、上部層からＤＬユニキャストトラフィックを多重送信して、ＤＬユニキャストトラフィックを第２ユーザーのＲＣＣ８６５上に伝送するためのマルチプレクサ８６１を含んでもよい。マルチプレクサ８５１、８６１の上に露出したユニキャストスケジューリングエンティティ８７は、ユニキャストトラフィックスケジューリング／優先処理を行うよう構成される。ＭＡＣ層６１の上に露出したＲＬＣ層６２は、パケット分割、ＡＲＱ等を行うよう構成される。ＲＬＣ層６２の上に露出したＰＤＣＰ層６３は、セキュリティ機能およびＲＯＨＣを提供するよう構成される。同様にして、ＭＢＭＳスケジューラ６８１、マルチプレクサ６８２、およびＯＣＣ６８３のＭＣＨの詳細については、図６Ａおよび図７を参照することができる。
【００４４】
いくつかの実施形態において、ＲＯＨセルにダウンリンク伝送のみがサポートされる。この場合、ＵＬに構成されたＲＯＨセルは、追加のＨＡＲＱエンティティを必要としない。図９は、セカンダリＲＯＨセルにダウンリンク伝送のみがサポートされている場合のレイヤ２アップリンクプロトコルスタックを示したものである。図９に示すように、構成されたＣＣは少なくとも１つのＨＡＲＱエンティティを必要とするため、物理層の異種キャリアアグリゲーションは、ＭＡＣ層に向かって露出する。例えば、ＵＥに構成されたＲＯＨセルは、それぞれ１つのＨＡＲＱエンティティのみを必要としてもよい。ＭＡＣ層は、異種ＣＣのジョイントスケジューリングを行う役割を果たす。
【００４５】
より詳しく説明するため、図９のプロトコルスタックは、ワイヤレス通信装置５５の通信プロトコルユニット５６によって実行することができ、少なくとも物理層（図９に明示せず）と、ＭＡＣ層６１と、ＲＬＣ層６２と、ＰＤＣＰ層６３とを含んでもよい。ＵＥに対し、ＣＣ1のＵＬ‐ＳＣＨ９５４は、ＲＣＣ上のプライマリＵＬコンポーネントキャリアを指し、ＣＣ2のＵＬ‐ＳＣＨ９５５は、同じＵＥのＲＣＣ上のセカンダリＵＬコンポーネントキャリアを指す。ＭＡＣ層６１において、プライマリＣＣ９５４およびＲＣＣ９５５に対し、それぞれＨＡＲＱエンティティ９５２およびＨＡＲＱエンティティ９５３がある。通信プロトコルユニット５６は、１つまたは異なる論理チャネルからそれぞれＨＡＲＱエンティティ９５２およびＨＡＲＱエンティティ９５３を介して物理層へ搬送されるトランスポートブロック（ＴＢ）にＭＡＣ ＳＤＵを多重送信するためのマルチプレクサ９５１を含んでもよい。マルチプレクサ９５１上に露出したスケジューリングエンティティ９７は、ＵＬトラフィックスケジューリング／優先処理を行うよう構成される。ＭＡＣ層６１上に露出したＲＬＣ層６２は、パケット分割、ＡＲＱ等を行うよう構成される。ＲＬＣ層６２の上に露出したＰＤＣＰ層６３は、セキュリティ機能およびＲＯＨＣを提供するよう構成される。
【００４６】
別の実施形態において、ＲＯＨセルにＵＬ伝送がサポートされてもよい。この場合、レイヤ２の構造は図１０に示した通りである。図１０は、セカンダリＲＯＨセルにアップリンク伝送がサポートされている場合のレイヤ２アップリンクプロトコルスタックを示したものである。図１０のプロトコルスタックは、ワイヤレス通信装置５５の通信プロトコルユニット５６によって実行することができ、少なくとも物理層（図１０に明示せず）と、ＭＡＣ層６１と、ＲＬＣ層６２と、ＰＤＣＰ層６３とを含むことができる。ＵＥに対し、ＣＣ1のＵＬ‐ＳＣＨ１０５４は、ＲＣＣ上のプライマリＵＬコンポーネントキャリアを指し、光ＣＣのＵＬ‐ＳＣＨ１０５５は、同じＵＥのＯＣＣ上のセカンダリＵＬコンポーネントキャリアを指す。ＭＡＣ層６１において、ＵＬ ＣＣ１０５４およびＵＬ ＯＣＣ１０５５に対し、それぞれＨＡＲＱエンティティ１０５２およびＨＡＲＱエンティティ１０５３がある。通信プロトコルユニット５６は、１つまたは異なる論理チャネルからそれぞれＨＡＲＱエンティティ１０５２およびＨＡＲＱエンティティ１０５３を介して物理層へ搬送されるトランスポートブロック（ＴＢ）にＭＡＣ ＳＤＵを多重送信するためのマルチプレクサ１０５１を含んでもよい。
【００４７】
マルチプレクサ１０５１上に露出したスケジューリングエンティティ１００７は、ＵＬトラフィックスケジューリング／優先処理を行うよう構成される。ＭＡＣ層６１の上に露出したＲＬＣ層６２は、パケット分割、ＡＲＱ等を行うよう構成される。ＲＬＣ層６２の上に露出したＰＤＣＰ層６３は、セキュリティ機能およびＲＯＨＣを提供するよう構成される。
【００４８】
図６〜図１０に示したＨＡＲＱエンティティは、上述したＭＡＣ層に設計される代わりに、物理（physical, PHY）層、例えば、ＩＥＥＥ ８０２．１６仕様に設計されてもよい。このようにして、プロトコルスタックのＲＣＣ、ＯＣＣ、ＡＣＣのアグリゲーションをＭＡＣ層の下で行うことができる。
【００４９】
図６Ｂは、本発明の１つの実施形態に係る異種コンポーネントキャリアのアグリゲーションを行う通信方法のレイヤ２プロトコルスタックを示す概略図である。図６Ｂから、ＯＣＣが構成されたダウンリンクのレイヤ２（Ｌ２）構造の例を見ることができる。レイヤ２は、媒体アクセス制御（ＭＡＣ）、無線回線制御（ＲＬＣ）およびパケットデータコンバージェンスプロトコル（ＰＤＣＰ）のサブレイヤを含んでもよい。図６Ｂを参照すると、本実施形態において、異種キャリアアグリゲーションは、ＰＤＣＰ層に向かって露出する。図６Ｂに示すように、ＩＥＥＥ ８０２．１５．７等の光ＣＣに対し、ＭＡＣプロトコルおよび／またはＰＨＹプロトコルを必要とする。技術的詳細については、図６Ａと同じ方法で行われる。
【００５０】
図６Ｃは、本発明の１つの実施形態に係る異種コンポーネントキャリアのアグリゲーションを行う通信方法のレイヤ２プロトコルスタックを示す概略図である。図６Ｃから、ＯＣＣが構成されたＤＬのレイヤ２（Ｌ２）の構造の例を見ることができる。レイヤ２は、媒体アクセス制御（ＭＡＣ）、無線回線制御（ＲＬＣ）およびパケットデータコンバージェンスプロトコル（ＰＤＣＰ）のサブレイヤを含んでもよい。図６Ｃを参照すると、本実施形態において、異種キャリアアグリゲーションは、ＲＬＣ層に向かって露出する。図６Ｃに示すように、ＩＥＥＥ ８０２．１５．７等の光ＣＣに対し、ＭＡＣプロトコルおよび／またはＰＨＹプロトコルを必要とする。技術的詳細については、図６Ａと同じ方法で行うことができる。
【００５１】
また、可視光通信（ＶＬＣ）物理チャネル処理を行うブロック図の例は、図１１にも示されている。図１１は、可視光通信（ＶＬＣ）に基づく通信の物理チャネル処理を示す概略図である。例えば、トランスポートブロックが、ＯＣＣのＨＡＲＱエンティティ（例えば、ＨＡＲＱエンティティ６５３またはＨＡＲＱエンティティ１０５３）を介して、物理層に搬送された後、物理層において、図１１の物理チャネル処理が行われる。図１１を参照すると、図１１の上部は、ＶＬＣ技術を用いて図１１の下部に示した受信機と通信を行う送信機である。図１１の点線の左側は、デジタルドメインの信号処理であり、データソース１１０１は、ベースバンド処理ユニット１１０２で処理されてから、さらにＤＡＣ１１０３で処理されて、アナログ信号を生成する。図１１の点線の右側では、アナログ信号がトランスコンダクタンス増幅器（trans-conductance amplifier, TCA）１１０４に入力され、ミキサー１１０５によって発光ダイオード（light emitting diode, LED）ＤＣ駆動電流信号とさらに混合された電流出力（ＬＥＤ ＡＣと示す）信号を生成し、最後に、ＬＥＤ転送器１１０６に入力される。ＬＥＤ転送器１１０６は、ＶＬＣ信号を出力する。
【００５２】
受信機は、フィルタレンズユニット１１１１を用いて予め設定されたＶＬＣ帯域幅の外の信号をフィルタリングし、フォトダイオード（photodiode, PD）受信器１１１２は、ＶＬＣ信号を受信してから、アナログ信号（ＡＣ部およびＤＣ部を含む）を生成する。トランスインピーダンス増幅器（Trans-impedance amplifier, TIA）１１１３は、ＰＤ受信器１１１２からアナログ信号を受信してから、ＡＣ信号を生成する。フィルタ１１１４は、さらに、ＡＣ信号のノイズをフィルタリングし、ＤＡＣ１１１５は、アナログ信号をデジタル信号に変換する。ＤＡＣ１１１５からのデジタル信号は、さらに、ベースバンド処理ユニット１１１６で処理されて、受信機でデータソース１１１７に回復する。
【００５３】
図１２は、１つの例示的実施形態に係る光コンポーネントキャリアＯＣＣのフレーム構造の例を示したものである。図１２を参照すると、１つの無線フレームまたは１つのＯＣＣフレームが１０ｍｓのフレーム継続時間で割り当てられる。また、各１０ｍｓ無線フレームは、１０個の均一な大きさのサブフレーム、例えば、スロット１２０‐０とスロット１２０‐１を含むサブフレーム１２０に分割される。各サブフレームは、２つの均一な大きさのスロット１２０‐０および１２０‐１で構成されてもよい。スロット１２０‐０、１２０‐１、１２０‐２、…、１２０‐１８および１２０‐１９は、各１０ｍｓ間隔でＤＬ／ＵＬ伝送を行うことができる。さらに、ＯＣＣの物理チャネルは、同期チャネル（synchronization channel, SCH）、物理ダウンリンク制御チャネル（Physical downlink control channel, PDCCH）、および物理ダウンリンク共有チャネル（Physical downlink shared channel, PDSCH）のうちの少なくとも１つを含む。ＳＣＨは、ＵＥがＤＬタイミング同期を行うために使用されるが、本実施形態ではオプションとする。ＰＤＣＣＨは、ＤＬアサインメントおよび／またはＵＬ帯域グラントのＤＬリソース割り当て、および／またはＵＬトラフィックに関連するハイブリッドＡＲＱ情報をＵＥに通知する。さらに、ＰＤＳＣＨは、ＤＬトラフィック（ＤＬ‐ＳＣＨ）を運ぶために使用される。クロスレイヤ（cross-layer）スケジューリングが基地局とＵＥの両方でサポートされている場合、ＯＣＣに対してＰＤＣＣＨは必要ない。
【００５４】
図１３は、電力線通信（power line communication, PLC）を用いてＲＯＨをｅＮｏｄｅＢと接続した場合のコントロールプレイン（control-plane）プロトコルスタックを示したものである。いくつかのＰＨＹ機能／エンティティは、無線モジュール、ＰＬＣモジュール、および／またはＶＬＣモジュールによって共有してもよい。図１３を参照すると、本例示的実施形態は、ＶＬＣを介してＲＯＨ装置１３０２と通信するＵＥ１３０１、電力線通信（ＰＬＣ）技術を介してｅＮｏｄｅＢ（またはｅＮＢ）１３０３と通信するＲＯＨ装置１３０２、および無線通信技術を介してＵＥ１３０１と通信するｅＮｏｄｅＢ１３０３を示す。ｅＮｏｄｅＢ１３０３は、Ｓ１インターフェースを介してＭＭＥ／Ｓ‐ＧＷ１３０４と接続することができる。図１３の下部に示したプロトコルスタックは、さらに、ＲＯＨ装置１３０２がＰＬＣを介してｅＮｏｄｅＢ１３０３と通信した場合のコントロールプレインプロトコルスタックを示す。
【００５５】
さらに明確に説明するため、図１３を参照すると、ＵＥ１３０１は、非アクセス層（non-access stratum, NAS）１３１１と、無線リソース制御（radio resource control, RRC）層１３１２と、ＰＤＣＰ層１３１３と、ＲＬＣ層１３１４と、ＭＡＣ層１３１５と、ＰＨＹ層１３１６とを含む。ＰＨＹ層１３１６において、ＵＥ１３０１は、異なるＨＡＲＱエンティティによって分離された無線モジュール１３１７およびＶＬＣモジュール１３１８を含む。同様に、ｅＮｏｄｅＢ１３０３は、ＲＲＣ層１３３１と、ＰＤＣＰ層１３３２と、ＲＬＣ層１３３３と、ＭＡＣ層１３３４と、ＰＨＹ層１３３５とを含む。ＰＨＹ層１３３５において、ｅＮｏｄｅＢ１３０３は、異なるＨＡＲＱエンティティによって分離された無線モジュール１３３７およびＰＬＣモジュール１３３６を含む。ＵＥ１３０１は、無線モジュール１３１７および無線モジュール１３３７を介してｅＮｏｄｅＢ１３０３と通信する。ｅＮｏｄｅＢ１３０３は、ＰＬＣモジュール１３３６およびＰＬＣモジュール１３２２を介してＲＯＨ装置１３０２と通信する。ＵＥ１３０１は、ＶＬＣモジュール１３１８およびＶＬＣモジュール１３２１を介してＲＯＨ装置１３０２と通信する。また、ＵＥ１３０１とＲＯＨ装置１３０２の間の通信リンクは、一方向性であっても、あるいは、双方向性であってもよい。
【００５６】
ＵＥ１３０１のＮＡＳ層１３１１は、ＭＭＥ／Ｓ‐ＧＷ１３０４のＮＡＳ層１３４１に対応する。ＲＲＣ層１３１２、ＰＤＣＰ層１３１３、ＲＬＣ層１３１４、ＭＡＣ層１３１５およびＰＨＹ層１３１６は、それぞれＲＲＣ層１３３１、ＰＤＣＰ層１３３２、ＲＬＣ層１３３３、ＭＡＣ層１３３４およびＰＨＹ層１３３５に対応する。
【００５７】
図１４は、電力線通信（ＰＬＣ）を用いてＲＯＨをｅＮｏｄｅＢと接続した場合のユーザープレイン（user-plane）プロトコルスタックを示したものである。ユーザープレインにおいて、ＵＥ１３０１は、ＶＬＣを介してＲＯＨ装置１３０２と通信し、ＲＯＨ装置１３０２は、ＰＬＣを介してｅＮｏｄｅＢ（またはｅＮＢ）１３０３と通信し、ｅＮｏｄｅＢ１３０３は、無線通信技術を介してＵＥ１３０１と通信する。図１４の下部に示したプロトコルスタックは、さらに、ＲＯＨ装置１３０２がＰＬＣを介してｅＮｏｄｅＢ１３０３と通信した場合のユーザープレインプロトコルスタックを示す。
【００５８】
さらに明確に説明するため、図１４を参照すると、ＵＥ１３０１は、ＰＤＣＰ層１３１３と、ＲＬＣ層１３１４と、ＭＡＣ層１３１５と、ＰＨＹ層１３１６とを含む。ＰＨＹ層１３１６において、ＵＥ１３０１は、異なるＨＡＲＱエンティティによって分離された無線モジュール１３１７およびＶＬＣモジュール１３１８を含む。同様に、ｅＮｏｄｅＢ１３０３は、ＰＤＣＰ層１３３２と、ＲＬＣ層１３３３と、ＭＡＣ層１３３４と、ＰＨＹ層１３３５とを含む。ＰＨＹ層１３３５において、ｅＮｏｄｅＢ１３０３は、異なるＨＡＲＱエンティティによって分離された無線モジュール１３３７およびＰＬＣモジュール１３３６を含む。ＵＥ１３０１は、無線モジュール１３１７および無線モジュール１３３７を介してｅＮｏｄｅＢ１３０３と通信する。ｅＮｏｄｅＢ１３０３は、ＰＬＣモジュール１３３６およびＰＬＣモジュール１３２２を介してＲＯＨ装置１３０２と通信する。ＵＥ１３０１は、ＶＬＣモジュール１３１８およびＶＬＣモジュール１３２１を介してＲＯＨ装置１３０２と通信する。また、ＵＥ１３０１とＲＯＨ装置１３０２の間の通信リンクは、一方向性であっても、あるいは、双方向性であってもよい。
【００５９】
ＰＤＣＰ層１３１３、ＲＬＣ層１３１４、ＭＡＣ層１３１５およびＰＨＹ層１３１６は、それぞれＰＤＣＰ層１３３２、ＲＬＣ層１３３３、ＭＡＣ層１３３４およびＰＨＹ層１３３５に対応する。
【００６０】
ＨＡＲＱフィードバックについては、プライマリコンポーネントキャリア（ＰＣＣ）に伝送されたＤＬおよび／またはＵＬデータに対するＨＡＲＱ ＡＣＫ／ＮＡＣＫフィードバックがＰＣＣを介して送信できることが明確である。図１５は、１つの例示的実施形態に係るＰＣＣを用いて、ＳＣＣからのＤＬデータに対してＵＥフィードバックＨＡＲＱを行った場合のＲＯＨからＵＥへのＳＣＣのＤＬ伝送を示したものである。ＳＣＣのＤＬ伝送の場合、図１５に示すように、通信ネットワーク（ｅＮＢ１３０３で示す）が有線（例えば、光ファイバー、ＰＬＣ）を使用してＲＯＨにデータを送信し、その後、ＲＯＨがＳＣＣにより（例えば、可視光通信を使用して）ＵＥにデータを転送してもよい。ＵＥは、ＰＣＣを使用する（例えば、ＬＴＥキャリア等のＲＣＣ上のＳＣＣにＨＡＲＱ ＡＣＫ／ＮＡＣＫを伝送する）ことによって、ＳＣＣから受信したＤＬに対してＨＡＲＱ ＡＣＫ／ＮＡＣＫをフィードバックしてもよい。
【００６１】
いくつかの実施形態において、ＳＣＣは、ＵＬ伝送に対してＵＬリソースを提供してもよい。このような場合、ＵＥは、ＳＣＣを介して（例えば、可視光通信を使用して）ＵＬデータを伝送し、通信ネットワークは、ＰＣＣまたはＳＣＣを介してＵＬデータに対してＨＡＲＱ ＡＣＫ／ＮＡＣＫをフィードバックする。
【００６２】
図１６は、第１実施形態に係る無線コンポーネントキャリアと光コンポーネントキャリアのアグリゲーションに基づく通信システムを示す概略図である。
【００６３】
第１実施形態において、図１６は、家の中の無線ＣＣおよび光ＣＣのアグリゲーションを有する通信システムを示す。図１６を参照すると、通信システムは、Ｓ１インターフェースによりＭＭＥ/Ｓ‐ＧＷ１６１に接続されたマクロｅＮｏｄｅＢ（ｅＮＢ）１６０を含み、ホームｅＮｏｄｅＢゲートウェイ（home eNodeB gateway, HeNB GW）１６２もＳ１インターフェースによりＭＭＥ/Ｓ‐ＧＷ１６１に接続される。ホーム１６３、１６４、１６５、１６６等の複数のホームは、ＨｅＮＢ ＧＷ１６２に接続され、ホーム１６３は、ｅＮＢ１６０のワイヤレスサービスカバレッジエリア内にある。
【００６４】
図１６を参照すると、ホーム１６３内に、ＨｅＮＢ１６３‐１および１つまたはそれ以上のＲＯＨ（例えば、ＬＥＤ、テレビおよびプロジェクター）が配置される。ＲＯＨは、ＰＬＣ通信モジュールおよびＶＬＣ通信モジュールを備える。ホーム１６３は、単に説明するための例として使用しただけであり、本発明を限定する意図はない。ＨｅＮＢ１６３‐１は、Ｓ１インターフェースを介してＭＭＥ/Ｓ‐ＧＷ１６２に接続され、電力線通信（ＰＬＣ）を介してＲＯＨ装置１６３‐２、１６３‐３、１６３‐４、１６３‐５、１６３‐６にも接続される。ＨｅＮＢ１６３‐１は、少なくとも１つのＬＴＥキャリアを提供し、ＲＯＨ装置１６３‐２、１６３‐３、１６３‐４、１６３‐５、１６３‐６は、ホームユーザーに光ＣＣを提供するとともに、ＰＬＣを介してＨｅＮＢ１６３‐１により制御される。
【００６５】
ホーム１６３において、ＵＥ１６３‐８は、ＲＯＨ装置１６３‐３からＯＣＣを受信するか、あるいは、マクロｅＮｏｄｅＢ１６０からＲＣＣを受信することができる。ＵＥ１６３‐７は、ＲＯＨ装置１６３‐２からＯＣＣを受信するか、あるいは、マクロｅＮｏｄｅＢ１６０からＲＣＣを受信することができる。ＵＥ１６３‐９またはＵＥ１６３‐１０は、ＲＯＨ装置１６３‐４、１６３‐５、１６３‐６からＯＣＣを受信するか、あるいは、マクロｅＮｏｄｅＢ１６０またはＨｅＮＢ１６３‐１からＲＣＣを受信することができる。可視光は、ホーム１６３の壁または建築資材によって効果的に遮断されるため、異なる部屋の異なるＲＯＨ装置からのＯＣＣの干渉を効果的に減らすことができる。また、ＲＯＨ装置からのＯＣＣは、ＵＥの帯域幅を効果的に増やすとともに、無線信号伝送および／または無線信号処理の消費電力を効果的に減らすこともできる。
【００６６】
本実施形態において、ホームユーザーは、少なくとも１つのＬＴＥセルを提供することのできるアドバンストＨｅＮＢ１６３‐１を購入してもよく、このセルは、ＵＥのプライマリセル（ＰＣｅｌｌ）として機能することができる。このＨｅＮＢ１６３‐１は、ＦＤＤまたはＴＤＤを使用することによって、ＤＬキャリアとＵＬキャリアの両方を提供することができる。また、ＨｅＮＢ１６３‐１は、ホーム１６３内の可能なＲＯＨ装置１６３‐２、１６３‐３、１６３‐４、１６３‐５、１６３‐６を自動的に発見／探索することができる。ＨｅＮＢ１６３‐１は、これらのＲＯＨ１６３‐２、１６３‐３、１６３‐４、１６３‐５、１６３‐６を集約して、ＳＣｅｌｌを提供することができる。これらのＳＣｅｌｌは、ＤＬ伝送のみを提供してもよい。ＨｅＮＢ１６３‐１は、ＰＬＣを使用してＲＯＨを制御および調整することができる。
【００６７】
また、ｅＮＢ１６０またはＨｅＮＢ１６３‐１は、基地局５０と類似する構成要素および機能を有する。ＵＥ１６３‐８、１６３‐９、１６３‐１０は、ワイヤレス通信装置５５と類似する構成要素および機能を有する。
【００６８】
図１７は、異種コンポーネントキャリアのアグリゲーションを行う通信方法の操作手順を示すフローチャートである。注意すべきこととして、これらのステップは、必ずしも下記の順番で実行する必要はない。図１７を参照すると、異種コンポーネントキャリアのアグリゲーションを行う通信方法は、操作手順Ｓ１７１〜Ｓ１７５を含む。
【００６９】
手順Ｓ１７１において、ＲＯＨ装置またはＨｅＮＢは、発見および初期化を行う。このステップＳ１７１では、ｅＮＢが（家の中の）可能なＲＯＨを発見／探索するか、あるいは、ＲＯＨがＨｅＮＢを発見／探索してもよい。本発明が提案する可能なＲＯＨを発見するための３つの方法について、以下に説明する。
【００７０】
可能なＲＯＨを発見するための第１の方法は、電力線通信（ＰＬＣ）を使用する方法である。図１８は、第１実施形態に係る可能なＲＯＨの発見方法を示したものである。
【００７１】
図１８からわかるように、ＨｅＮＢ（またはｅＮＢ１３０３）は、ＲＯＨ＿発見信号を送信することができる（例えば、ＰＬＣを用いて）。ＲＯＨ＿発見を受信した時、ＲＯＨ１３０２は、ＰＬＣを用いてＨｅＮＢ（またはｅＮＢ１３０３）にＲＯＨ＿記述情報（またはＲＯＨ＿記述メッセージ）に応答することができる。単純サービス発見プロトコル（Simple Service Discovery Protocol, SSDP）を使用して、ＨｅＮＢおよび／またはＲＯＨを発見してもよい。ＲＯＨ＿記述メッセージは、ＲＯＨ＿記述に応答するためのＲＯＨのＨｅＮＢ情報（例えば、ＩＰアドレス）を含んでもよい。ＲＯＨ＿記述メッセージは、ＲＯＨを制御するためのＨｅＮＢのＲＯＨ情報（例えば、ＩＰアドレス）を含んでもよい。
【００７２】
可能なＲＯＨを発見するための第２の方法は、可能なＲＯＨを発見するＵＥ‐アシスト（UE-assist）である。この第２の方法では、ＨｅＮＢは、ＲＯＨ＿発見信号を送信することができる（例えば、ＰＬＣを用いて）。ＲＯＨ＿発見信号を受信した時、ＲＯＨは、ＲＯＨ＿記述情報を送信することができる（例えば、可視光を用いて）。その後、ＵＥは、受信したＲＯＨ＿記述情報をＨｅＮＢに転送することができる。
【００７３】
図１９は、第１実施形態に係る可能なＲＯＨの別の発見方法を示したものである。図１９を参照すると、まず、ｅＮＢ１３０３がＰＬＣにＲＯＨ＿発見信号を伝送し、ＲＯＨ１３０２がＲＯＨ＿発見信号の受信に応じてＯＣＣにＲＯＨ＿記述情報を送信し、ＵＥ１３０１がＲＯＨ１３０２からＶＬＣを介してＯＣＣに送信されたＲＯＨ＿記述情報を受信し、最後に、ＲＯＨ１３０２に関するＲＯＨ情報をＬＴＥキャリアのｅＮＢ１３０３に転送する。
【００７４】
可能なＲＯＨを発見するための第３の方法は、手動設定による方法である。この可能なＲＯＨを発見するための第３の方法において、ホームユーザーは、ＲＯＨに対してＨｅＮＢの情報を手動で提供してＨｅＮＢを見つけることができ、および／または、ホームユーザーは、ＨｅＮＢに対してＲＯＨの情報を手動で提供してこれらのＲＯＨを制御することができる。
【００７５】
また、別の実施形態において、例えば、ＲＯＨが家に追加された時に、ＲＯＨは、そのことをＨｅＮＢに知らせてもよい（もしＨｅＮＢが存在する場合）。以下に、本発明が提案するｅＮＢを発見するための３つの方法について説明する。
【００７６】
ｅＮＢを発見するための第１の方法は、電力線通信（ＰＬＣ）を使用する方法である。このｅＮＢを発見するための第１の方法において、ＲＯＨは、ＲＯＨ＿記述情報を含むメッセージをＨｅＮＢに知らせることができる。ＲＯＨ＿記述メッセージは、ＨｅＮＢのＲＯＨ情報（例えば、ＩＰアドレス）を含んでＲＯＨを制御してもよい。単純サービス発見プロトコル（ＳＳＤＰ）を使用してＨｅＮＢを発見してもよい。
【００７７】
ｅＮＢを発見するための第２の方法は、ｅＮＢを発見するＵＥ‐アシストである。ＲＯＨは、ＲＯＨ＿記述情報を送信することができる（例えば、可視光を用いて）。その後、ＵＥは、受信したＲＯＨ＿記述情報をＨｅＮＢに転送することができる。
【００７８】
ｅＮＢを発見するための第３の方法は、手動設定による方法である。ホームユーザーは、ＲＯＨに対してＨｅＮＢの情報を手動で提供してＨｅＮＢを見つけることができ、および／または、ホームユーザーは、ＨｅＮＢに対してＲＯＨの情報を手動で提供してこれらのＲＯＨを制御することができる。
【００７９】
ＨｅＮＢおよび／またはＲＯＨを発見した後、ＨｅＮＢは、ＲＯＨを制御および／または調整して、いくつかの基準信号を伝送することができる（例えば、可視光を介して）。基準信号は、ＵＥ測定に使用することができる。また、基準信号は、同期化に使用されてもよい。
【００８０】
手順Ｓ１７２において、通信ネットワーク（ｅＮｏｄｅＢ等）は、ＵＥにＲＯＨを設置する。このステップＳ１７２において、通信ネットワークは、メッセージを送信して、１つまたはそれ以上のＯＣＣをＵＥに追加（または設置）することができる。ネットワーク（例えば、ＨｅＮＢ）は、ＲＯＨを設置して、いくつかの基準（例えば、ＵＥに対するＤＬおよび／またはＵＬトラフィックの量（バッファ状態）、ＲＯＨの位置、ＵＥの位置、ＲＯＨのチャネル品質に関する測定報告）に基づいて、ＵＥにＳＣＣを提供するかどうかを判断することができる。ＵＥからＨｅＮＢへのＲＯＨフィードバックのチャネル品質に関する測定報告は、周期的であっても、または非周期的であってもよい。別の実施形態において、ＵＥは、ＨｅＮＢにメッセージを送信して、ＲＯＨの追加を要求することができる。例えば、ＲＯＨは、ユーザーが手動で選択してもよい。通信ネットワーク（例えば、ＨｅＮＢ）は、メッセージ（例えば、ＲＲＣ接続再設定（RRCConnectionReconfiguration）メッセージ）を送信して、ＵＥにＲＯＨを追加することができる。このメッセージは、キャリア周波数、帯域幅、セル識別情報等のＲＯＨのシステム情報を含むことができる。
【００８１】
例えば、手順Ｓ１７３において、図１６と図１７の両方を参照すると、ＵＥ１６３‐７がＲＯＨ装置１６３‐２を備えた部屋に入った時、ＨｅＮＢ１６３‐１は、まず、ＵＥ１６３‐７の位置を判断してから、ＵＥ１６３‐７がＲＯＨ装置１６３‐２の位置に近いかどうかを判断し、最後に、ＲＯＨ装置１６３‐２をＵＥ１６３‐７に設置するかどうかを判断することができる。他の基準に基づいて、同じ構成原理を応用してもよい。
【００８２】
手順Ｓ１７３において、ＵＥは、測定を行う。このステップＳ１７３において、ＵＥは、ＯＣＣのチャネル品質を測定および報告することができる。例えば、ＵＥは、各ＯＣＣのチャネル品質を測定し、測定したチャネル品質をＨｅＮＢまたはｅＮＢに報告することができる。ＲＯＨは、いくつかの基準信号（例えば、共通基準信号（common reference signal, CRS）、ＵＥ特定基準信号、ＤＭＲＳ、パイロット信号等）を送信することができる。ＵＥは、ＲＯＨの信号強度（例えば、基準信号受信電力（reference signal received power, RSRP）、基準信号受信品質（reference signal received quality, RSRQ）等）を測定し、測定結果を通信ネットワーク（例えば、ＨｅＮＢ）に報告することができる。測定結果は、周期的に報告しても、または、特定の事象が起きた時に報告してもよい。測定結果は、ＲＯＨからＯＣで測定された信号強度（例えば、ＲＳＲＰ、ＲＳＲＱ）を含むことができる。
【００８３】
手順Ｓ１７４において、通信ネットワーク（ｅＮｏｄｅＢ等）は、ＵＥに対してＲＯＨを起動する。この選択的ステップＳ１７４において、通信ネットワークは、構成されたＯＣＣを起動させるかどうかを判断することができる。ＳＣｅｌｌの起動／停止メカニズムは、ＵＥ電池消費の節約をサポートすることができる。通信ネットワークは、起動／停止ＭＡＣ制御要素（activation/deactivation MAC control element）を送信することによって、ＳＣｅｌｌを起動および／または停止することができる。ＳＣｅｌｌを起動するよう構成された起動／停止ＭＡＣ制御要素を受信した時、ＵＥは、ＳＣｅｌｌの音声基準信号（sounding reference signal, SRS）伝送、チャネル品質指標（channel quality indictor）／プリコーディングマトリクス指標（pre-coding matrix indicator）／ランク指標（ranking indicator）／プリコーディングタイプ指標（precoding type indicator）（CQI/PMI/RI/PTI）等のＳＣｅｌｌに報告するチャネル情報（channel state information, CSI）、ＳＣｅｌｌと関連するＳＣｅｌｌディアクティベーションタイマー（sCellDeactivationTimer）の始動または再起動を含むＳＣｅｌｌの起動を行うことができる。例えば、ＳＣｅｌｌと関連するＳＣｅｌｌディアクティベーションタイマーは、３２０ｍｓであってもよい。
【００８４】
ＵＥがＳＣｅｌｌと関連する起動／停止ＭＡＣ制御要素、または関連するＳＣｅｌｌディアクティベーションタイマーの満了を受信した時、ＵＥは、ＳＣｅｌｌを停止するか、ＳＣｅｌｌと関連するＳＣｅｌｌディアクティベーションタイマーを停止するか、ＳＣｅｌｌと関連する全てのＨＡＲＱバッファを消去することができる。ここで、ＳＣｅｌｌと関連する起動／停止ＭＡＣ制御要素は、ＭＡＣメッセージであってもよい。
【００８５】
ＳＣｅｌｌが停止された時、ＵＥは、ＳＣｅｌｌにＳＲＳを送信できないか、ＳＣｅｌｌにチャネル情報（ＣＱＩ／ＰＭＩ／ＲＩ／ＰＴＩ）を報告できないか、ＳＣｅｌｌのＵＬ‐ＳＣＨに送信できないか、ＳＣｅｌｌのＰＤＣＣＨを監視することができない。
【００８６】
手順Ｓ１７５において、通信ネットワーク（ｅＮｏｄｅＢ等）は、ＵＥに対してＲＯＨを停止／構成解除（deactivate/de-configure）する。通信ネットワーク（例えば、ＨｅＮＢ）は、いくつかの基準（例えば、ＵＥに対するＤＬトラフィックの量（バッファ状態）、ＲＯＨの位置、ＵＥの位置、ＲＯＨのチャネル品質に関する測定報告）に基づいて、ＵＥに対してＲＯＨを停止または構成解除するかどうかを判断することができる。ＨｅＮＢは、起動／停止ＭＡＣ制御要素を送信してＯＣＣを構成解除する、および／または、メッセージ（例えば、ＲＲＣ接続再設定メッセージ）を送信して、ＵＥに対してＯＣＣを構成解除することができる。
【００８７】
図２０は、第２実施形態に係る無線コンポーネントキャリアと音響コンポーネントキャリアのアグリゲーションに基づく通信システムを示す概略図である。
【００８８】
この第２実施形態は、少なくとも１つの音響コンポーネントキャリアを提供する（例えば、ソナーを用いて）ＲＡＨを配置する。少なくとも１つのＬＴＥキャリアを提供するｅＮＢ（またはＨｅＮＢまたは衛星）が存在してもよい。ＲＡＨは、ワイヤレスまたは有線通信を使用して、ｅＮＢまたはゲートウェイで制御することができる。この第２実施形態は、ヘルスケアの応用に用いることができる。図２０を参照すると、通信システムにおいて、ｅＮＢ１６０は、Ｓ１インターフェースを介してＭＭＥ／Ｓ‐ＧＷ１6１に接続され、水の下に配置されたリモート音響ヘッド（remote acoustic head, RAH）装置２００‐２も、Ｓ１インターフェースを介してＭＭＥ／Ｓ‐ＧＷ１6１に接続され、ｅＮＢ１６０は、ＲＡＨ装置２００‐２に接続される（ワイヤレスまたは有線通信を使用して）。衛星２００‐１は、ワイヤレス通信リンクによってＭＭＥ／Ｓ‐ＧＷ１6１と接続する。第２実施形態において、ＲＡＨ装置２００‐２は、ワイヤレス通信リンクまたは有線通信を使用して、ｅＮＢ１６０またはゲートウェイ装置（ＭＭＥ／Ｓ‐ＧＷ１6１等）で制御することができる。ｅＮＢ１６０およびＲＡＨ装置２００‐２は、異なる位置にあってもよい。
【００８９】
図２０を参照すると、対応するコンポーネントキャリア送信／受信手段を備えたユーザー２００‐３は、ｅＮＢ１６０のＲＣＣ（例えば、ＬＴＥキャリア）でｅＮＢ１６０と通信するか、または衛星２００‐１のＲＣＣで衛星２００‐１と通信するか、またはＲＡＨ装置２００‐２のＡＣＣでＲＡＨ装置２００‐２と通信することができる。同様に、対応するコンポーネントキャリア送信／受信手段を備えたボート２００‐４は、ｅＮＢ１６０のＲＣＣでｅＮＢ１６０と通信するか、または衛星２００‐１のＲＣＣで衛星２００‐１と通信するか、またはＲＡＨ装置２００‐２のＡＣＣでＲＡＨ装置２００‐２と通信することができる。対応するコンポーネントキャリア送信／受信手段を備えた潜水艦２００‐５は、ＲＡＨ装置２００‐２のＡＣＣでＲＡＨ装置２００‐２と通信することができる。
【００９０】
注意すべきこととして、ＲＡＨ装置２００‐２とユーザー２００‐３間の通信は、双方向性であっても、または一方向性（ある実施形態において、ＲＡＨ装置２００‐２がユーザー２００‐３にＡＣＣの情報を送信するのみ、あるいは、ユーザー２００‐３がＲＡＨ装置２００‐２にＡＣＣの情報を送信するのみである）であってもよい。ＲＡＨ装置２００‐２とボート２００‐４間の通信、およびＲＡＨ装置２００‐２と潜水艦２００‐５間の通信にも、同じ操作原理を応用することができる。また、ｅＮＢ１６０は、基地局５０と類似する構成要素および機能を有する。ユーザー２００‐３、またはボート２００‐４または潜水艦２００‐５のコンポーネントキャリア送信／受信手段は、ワイヤレス通信装置５５と類似する構成要素および機能を有する。
【００９１】
図２１は、本発明の１つの実施形態に係る異種コンポーネントキャリアとのキャリアアグリゲーションに関連する通信方法を示すフローチャートである。図５Ａと図２１の両方を参照すると、本発明が提案する異種コンポーネントキャリアとのキャリアアグリゲーションを行う通信方法は、ワイヤレス通信局に適用される。ワイヤレス通信局は、基地局、Ｎｏｄｅ‐Ｂ、ｅＮｏｄｅＢ、基地局送受信システム、リモートヘッド装置、アクセスポイント、ホーム基地局、フェムトセル基地局、中継局、散乱物体、リピータ、中間ノード、媒介物、または衛星ベース通信基地局であってもよい。本実施形態において、ワイヤレス通信局は、例えば、基地局５０であり、本発明が提案する方法は、以下の手順を含む。基地局５０の通信プロトコルユニット５１が、レイヤ２またはレイヤ２より下において、異種アクセス技術にそれぞれ対応する物理チャネルリソースを集約する（ステップＳ２１０１）。通信プロトコルユニット５１が、異種アクセス技術にそれぞれ対応する物理チャネルリソースを介して（例えば、物理チャネルリソースの少なくともチャネル状態に基づいて）、少なくとも１つのワイヤレスターミナル通信装置（例えば、図５Ｂに示したワイヤレス通信装置５５）と通信する（ステップＳ２１０２）。
【００９２】
本実施形態において、プロトコルスタックのレイヤ２またはレイヤ２より下において、異種アクセス技術にそれぞれ対応する物理チャネルリソースを集約するステップは、通信プロトコルユニット５１が、構成された異種コンポーネントキャリアのそれぞれに対して、少なくとも１つのＨＡＲＱエンティティをアシストすることを含む。異種アクセス技術にそれぞれ対応する物理チャネルリソースは、異種コンポーネントキャリアである。
【００９３】
図２２は、本発明の１つの実施形態に係る異種コンポーネントキャリアとのキャリアアグリゲーションに関連する別の通信方法を示すフローチャートである。図５Ｂおよび図２２を参照すると、本発明が提案する異種コンポーネントキャリアとのキャリアアグリゲーションを行う通信方法は、ＵＥに適用され、以下の手順を含む。ワイヤレス通信装置５５の通信プロトコルユニット５６が、基地局（例えば、図５Ａに示した基地局５０）からメッセージを受信する（ステップＳ２２０１）。通信プロトコルユニット５６が、メッセージに基づいて、プロトコルスタックのレイヤ２またはレイヤ２より下において、異種アクセス技術にそれぞれ対応する物理チャネルリソースを集約する（ステップＳ２２０２）。通信プロトコルユニット５６が、基地局から別のメッセージを受信する（ステップＳ２２０３）。通信プロトコルユニット５６が、別のメッセージに基づいて、物理チャネルリソースを起動する（ステップＳ２２０４）。ここで、通信プロトコルユニット５６による物理チャネルリソースの起動は、アップリンクデータの伝送、アップリンクメッセージの伝送、ダウンリンクデータの受信、または起動した物理チャネルリソース上のダウンリンクメッセージの受信を指すことができる。例えば、物理チャネルリソースの起動は、物理チャネルリソースの音声基準信号（ＳＲＳ）、物理チャネルリソースに報告するＣＳＩ（例えば、ＣＱＩ／ＰＭＩ／ＲＩ／ＰＴＩ）、物理チャネルリソースを監視するＰＤＣＣＨ、または物理チャネルリソースと関連するＳＣｅｌｌディアクティベーションタイマーの始動または再起動を含むことができる。異種アクセス技術にそれぞれ対応する物理チャネルリソースは、異種コンポーネントキャリアである。
【００９４】
以上のように、本発明の実施形態に基づき、異種コンポーネントキャリアと通信装置のアグリゲーションを行う通信方法、およびその方法を用いたリモートヘッド装置および基地局を提案する。概して、本発明の実施形態は、レイヤ２またはレイヤ２より下において、異種コンポーネントキャリアを集約する単純な通信システム、単純なプロトコルスタックまたは通信方法を提供し、ワイヤレス伝送の帯域幅を効果的に増やすことができる。また、本発明が提案する異種コンポーネントキャリアのアグリゲーションを行う通信方法は、リモートヘッド装置に配置することができる。
【００９５】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００９６】
本発明が提案する異種コンポーネントキャリアのアグリゲーションを行う通信方法は、複雑にならないよう簡単に示してあるが、ワイヤレスターミナル通信装置により広範囲の帯域幅を提供する点では、予期された性能を達成することができる。
【符号の説明】
【００９７】
１１１、１２１、１３１、１４１    ネットワーク層
１１２、１２２、１３２、１４２    ＭＡＣ層
１１３、１２３、１３３、１４３、６５４、８５５、８６５    ＲＣＣ
１１４、１３４、６５５、６６５    ＯＣＣ
１１５、１４４    ＡＣＣ
１２    ＯＣＣフレーム
１２０    サブフレーム
１２０‐０、１２０‐１、１２０‐２、１２０‐１８、１２０‐１９    スロット
１６０    マクロｅＮｏｄｅＢ
１６２  ＨｅＮＢ  ＧＷ
１６３、１６４、１６５、１６６    ホーム
１６３‐１    ＨｅＮＢ
１６３‐２、１６３−３、１６３−４、１６３−５、１６３−６    ＲＯＨ装置
２０、４０    通信ネットワーク
２００‐１    衛星
２００‐２    ＲＡＨ装置
２００‐３    ユーザー
２００‐４    ボート
２００‐５    潜水艦
２１、２２、３１、５０    基地局
２１１、２２２、３４、４５１    ＲＡＨ
２１２、２２３、３２、３６、４３１    ＲＲＨ
２１３、３３、３５、４４１、４４２、１３０２    ＲＯＨ
３００    マクロセル
３７、３８、３９、１６３‐７、１６３‐８、１６３‐９、１６３‐１０、１３０１    ＵＥ
４１２、４１４、１３０４、１６１    ＭＭＥ／Ｓ‐ＧＷ
４２１、４２２、１３０３    ｅＮｏｄｅＢ
５１、５６    通信プロトコルユニット
５２１‐５２ｎ、５７１‐５７ｎ    物理通信ユニット 
５３    ネットワークインターフェース
５５    ワイヤレス通信装置
６１、１３１５、１３３４    ＭＡＣ層
６２、１３１４、１３３３    ＲＬＣ層
６３、１３１３、１３３２    ＰＤＣＰ層
６５、６６、６８、８５、８６    プロトコルスタック
６５１、６６１、６８２、８５１、８６１、９５１    マルチプレクサ
６５２、６５３、６６２、６６３、８５３、８６３、９５２、９５３、１０５２、１０５３    ＨＡＲＱエンティティ
６６４    プライマリＣＣ
６７、８７    ユニキャストスケジューリングエンティティ
６８１    ＭＢＭＳスケジューリングユニット
８５５、８６５    ＤＬ‐ＳＣＨ
９５４、９５５、１０５４、１０５５    ＵＬ‐ＳＣＨ
９７、１００７    スケジューリングエンティティ
１１０１、１１１７    データソース
１１０２、１１１６    ベースバンド処理ユニット
１１０３、１１１５    ＤＡＣ
１１０４    ＴＣＡ
１１０５    ミキサー
１１０６    ＬＥＤ転送器
１１１１    フィルタレンズユニット
１１１２    ＰＤ受信器
１１１３    ＴＩＡ
１１１４    フィルタ
１３１１、１３４１    ＮＡＳ層
１３１２、１３３１    ＲＲＣ層
１３１６、１３３５    ＰＨＹ層
１３１７、１３３７    無線モジュール
１３１８、１３２１    ＶＬＣモジュール
１３２２、１３３６    ＰＬＣモジュール
Ｓ１７１〜Ｓ１７５、Ｓ２１０１〜Ｓ２１０２、Ｓ２２０１〜Ｓ２２０４    ステップ
【図１】
0005509279.tif 000002
【図２】
0005509279.tif 000003
【図３】
0005509279.tif 000004
【図４】
0005509279.tif 000005
【図５Ａ】
0005509279.tif 000006
【図５Ｂ】
0005509279.tif 000007
【図６Ａ】
0005509279.tif 000008
【図６Ｂ】
0005509279.tif 000009
【図６Ｃ】
0005509279.tif 000010
【図７】
0005509279.tif 000011
【図８】
0005509279.tif 000012
【図９】
0005509279.tif 000013
【図１０】
0005509279.tif 000014
【図１１】
0005509279.tif 000015
【図１２】
0005509279.tif 000016
【図１３】
0005509279.tif 000017
【図１４】
0005509279.tif 000018
【図１５】
0005509279.tif 000019
【図１６】
0005509279.tif 000020
【図１７】
0005509279.tif 000021
【図１８】
0005509279.tif 000022
【図１９】
0005509279.tif 000023
【図２０】
0005509279.tif 000024
【図２１】
0005509279.tif 000025
【図２２】
0005509279.tif 000026